(57)【要約】    【課題】  遊技が単調にならないようにして、遊技者の興趣を高めるスロットマシン10を提供する。    【解決手段】  スロットマシン10は、一般的な遊技である一般遊技と、遊技者にとって一般遊技よりも有利な遊技である特別遊技とを実行可能に形成され、一般遊技中に、特別遊技への移行確率が一定の通常モードの遊技と、特別遊技への移行確率が通常モードよりも高い高確率モードの遊技とを実行可能に形成されている。所定時に数値の抽選を行うための高確率モード抽選手段と、高確率モード抽選手段の抽選結果である数値を加算し、かつ、高確率モードの遊技が行われる毎に、記憶している数値から所定数を減算するための高確率モード用カウンタと、高確率モード用カウンタが記憶している数値に基づき、一般遊技中の遊技を、通常モード又は高確率モードへ移行させるための高確率モード制御手段119とを備える。    【選択図】  図１
2005312791.tif 000002
【特許請求の範囲】
【請求項１】
一般的な遊技である一般遊技と、遊技者にとって一般遊技よりも有利な遊技である特別遊技とを実行可能に形成され、
一般遊技中に、特別遊技への移行確率が一定の通常モードの遊技と、特別遊技への移行確率が通常モードよりも高い高確率モードの遊技とを実行可能に形成されているスロットマシンであって、
所定時に数値の抽選を行うための高確率モード抽選手段と、
高確率モード抽選手段の抽選結果である数値を加算し、かつ、高確率モードの遊技が行われる毎に、記憶している数値から所定数を減算するための高確率モード用カウンタと、
高確率モード用カウンタが記憶している数値に基づき、一般遊技中の遊技を、通常モード又は高確率モードに移行させるための高確率モード制御手段とを備えたことを特徴とするスロットマシン。
【請求項２】
一般遊技中に、通常モードから高確率モードに移行する際に必ず経由する高期待モードの遊技を実行可能に形成されたスロットマシンであって、
所定時に数値の抽選を行うための高期待モード抽選手段と、
高期待モード抽選手段の抽選結果である数値を加算し、かつ、高期待モードの遊技が行われる毎に、記憶している数値から所定数を減算するための高期待モード用カウンタとを備え、
高確率モード用カウンタ及び高期待モード用カウンタが記憶している数値に基づき、一般遊技中の遊技を、通常モード、高確率モード又は高期待モードに移行させるための高確率モード制御手段を備えたことを特徴とする請求項１記載のスロットマシン。
【請求項３】
一般遊技又は特別遊技の少なくともいずれか一方の遊技中に、高期待モードへの移行確率が一定の通常状態の遊技と、高期待モードへの移行確率が通常状態よりも高い好機状態の遊技を実行させるための好機状態制御手段を備え、
数値の決定確率が異なる複数の高期待モード抽選テーブルを備えるとともに、好機状態であるか否かに基づき、複数の高期待モード抽選テーブルの中から１の高期待モード抽選テーブルを選択して、数値の抽選を行う高期待モード抽選手段を備えたことを特徴とする請求項２記載のスロットマシン。
【請求項４】
所定時に数値の抽選を行うための好機状態抽選手段と、
好機状態抽選手段の抽選結果である数値を加算し、かつ、好機状態の遊技が行われる毎に、記憶している数値から所定数を減算するための好機状態用カウンタとを備え、
好機状態用カウンタが記憶している数値に基づき、好機状態の遊技を実行させる好機状態制御手段を備えたことを特徴とする請求項３記載のスロットマシン。
【請求項５】
特別遊技の終了時に、数値の抽選を行う好機状態抽選手段を備えたことを特徴とする請求項４記載のスロットマシン。
【請求項６】
一般遊技中に移行待ちモードの遊技を実行可能に形成され、
通常モードから高確率モードへ移行させる場合には、通常モードから移行待ちモードへ移行させた後に、移行待ちモードから高確率モードへ移行させる高確率モード制御手段を備えたスロットマシンであって、
所定時に数値の抽選を行うための移行待ちモード抽選手段と、
移行待ちモード抽選手段の抽選結果である数値を加算し、かつ、移行待ちモードの遊技が行われる毎に、記憶している数値から所定数を減算するための移行待ちモード用カウンタとを備え、
高確率モード用カウンタ及び移行待ちモード用カウンタが記憶している数値に基づき、一般遊技中の遊技を、通常モード、移行待ちモード又は高確率モードに移行させる高確率モード制御手段を備えたことを特徴とする請求項１、２、３、４又は５記載のスロットマシン。
【請求項７】
一般的な遊技である一般遊技と、遊技者にとって一般遊技よりも有利な遊技である特別遊技とを実行可能に形成され、
一般遊技中に、特別遊技への移行確率が一定の通常モードの遊技と、特別遊技への移行確率が通常モードよりも高い高確率モードの遊技と、高期待モードの遊技とを実行可能に形成され、
高確率モードには、第１高確率モードと第２高確率モードとがあり、
高期待モードは、通常モードから第２高確率モードに移行する際に必ず経由する遊技として形成されているスロットマシンであって、
所定時に数値の抽選を行うための第１高確率モード抽選手段と、
所定時に数値の抽選を行うための第２高確率モード抽選手段と、
所定時に数値の抽選を行うための高期待モード抽選手段と、
第１高確率モード抽選手段の抽選結果である数値を加算し、かつ、第１高確率モードの遊技が行われる毎に、記憶している数値から所定数を減算するための第１高確率モード用カウンタと、
第２高確率モード抽選手段の抽選結果である数値を加算し、かつ、第２高確率モードの遊技が行われる毎に、記憶している数値から所定数を減算するための第２高確率モード用カウンタと、
高期待モード抽選手段の抽選結果である数値を加算し、かつ、高期待モードの遊技が行われる毎に、記憶している数値から所定数を減算するための高期待モード用カウンタと、
第１高確率モード用カウンタ、第２高確率モード用カウンタ及び高期待モード用カウンタが記憶している数値に基づき、一般遊技中の遊技を、通常モード、第１高確率モード、第２高確率モード又は高期待モードに移行させる高確率モード制御手段を備えたことを特徴とするスロットマシン。
【請求項８】
一般的な遊技である一般遊技と、遊技者にとって一般遊技よりも有利な遊技である特別遊技とを実行可能に形成され、
一般遊技中に、特別遊技への移行確率が一定の通常モードの遊技と、特別遊技への移行確率が通常モードよりも高い第２高確率モードの遊技と、特別遊技への移行確率が第２高確率モードよりも高い第１高確率モードの遊技と、高期待モードの遊技と、移行待ちモードの遊技とを実行可能に形成され、
一般遊技中に、通常状態の遊技と、好機状態の遊技とを実行可能に形成されているスロットマシンであって、
所定時に数値の抽選を行うための第１高確率モード抽選手段と、
所定時に数値の抽選を行うための第２高確率モード抽選手段と、
数値の決定確率が異なる複数の高確率テーブルを備えるとともに、第１高確率モードの抽選結果が所定値となった場合に、好機状態であるか否かに基づき、複数の高期待モード抽選テーブルの中から１の高期待モード抽選テーブルを選択して、数値の抽選を行うための高期待モード抽選手段と、
高期待モードの遊技が行われる毎に、数値の抽選を行うための移行待ちモード抽選手段と、
所定時に数値の抽選を行うための好機状態抽選手段と、
第１高確率モード抽選手段の抽選結果である数値を加算し、かつ、第１高確率モードの遊技が行われる毎に、記憶している数値から所定数を減算するための第１高確率モード用カウンタと、
第２高確率モード抽選手段の抽選結果である数値を加算し、かつ、第２高確率モードの遊技が行われる毎に、記憶している数値から所定数を減算するための第２高確率モード用カウンタと、
高期待モード抽選手段の抽選結果である数値を加算し、かつ、高期待モードの遊技が行われる毎に、記憶している数値から所定数を減算するための高期待モード用カウンタと、
移行待ちモード抽選手段の抽選結果である数値を加算し、かつ、移行待ちモードの遊技が行われる毎に、記憶している数値から所定数を減算するための移行待ちモード用カウンタと、
好機状態抽選手段の抽選結果である数値を加算し、かつ、好機状態の遊技が行われる毎に、記憶している数値から所定数を減算するための好機状態用カウンタと、
第１高確率モード用カウンタが所定の数値を記憶している場合には、第１高確率モードの遊技を実行し、
第１高確率モード用カウンタが所定の数値を記憶しておらず、かつ、移行待ちモード用カウンタが所定の数値を記憶している場合には、移行待ちモードの遊技を実行し、
第１高確率モード用カウンタ及び移行待ちモード用カウンタがいずれも所定の数値を記憶しておらず、かつ、第２高確率モード用カウンタが所定の数値を記憶している場合には、第２高確率モードの遊技を実行し、
第１高確率モード用カウンタ、第２高確率モード用カウンタ及び移行待ちモード用カウンタがいずれも所定の数値を記憶しておらず、かつ、高期待モード用カウンタが所定の数値を記憶している場合には、高期待モードの遊技を実行し、
第１高確率モード用カウンタ、第２高確率モード用カウンタ、移行待ちモード用カウンタ及び高期待モード用カウンタがいずれも所定の数値を記憶していない場合には、通常モードの遊技を実行する高確率モード制御手段を備え、
好機状態用カウンタが所定の数値を記憶している場合には、好機状態の遊技を実行し、
好機状態用カウンタが所定の数値を記憶していない場合には、通常状態の遊技を実行する好機状態制御手段を備えたことを特徴とするスロットマシン。
【請求項９】
一般遊技中の遊技において、いずれのモード及び状態が実行されているか報知する報知手段を備えたことを特徴とする請求項１、２、３、４、５、６、７又は８記載のスロットマシン。
【請求項１０】
スロットマシンは周囲に複数の図柄が付されている複数の回転リールと、各回転リールの回転を開始させるためのスタートスイッチと、各回転リールの回転を停止させるためのものであり各回転リールにそれぞれ対応して設けられている複数のストップスイッチと、スロットマシンを制御するための制御装置とを備え、
制御装置は、遊技を制御するための遊技制御手段と、複数の役のいずれかに当選したか又はハズレかの抽選を行うための役抽選手段と、役抽選手段の抽選結果と各ストップスイッチが操作されたときの対応する回転リールの回転位置とに基づいて各回転リールの停止制御を行うための停止制御手段と、すべての回転リールの回転が停止した際における図柄の配列に基づいて複数の役のいずれかに入賞したか又は入賞なしかの判定を行うための入賞判定手段とを備え、
数値の決定確率が異なる複数の高確率モード抽選テーブルを備えるとともに、役抽選手段の抽選結果に基づいて、複数の高確率モード抽選テーブルの中から１の高確率モード抽選テーブルを選択して、数値の抽選を行う高確率モード抽選手段を備えたことを特徴とする請求項１、２、３、４、５、６、７、８又は９記載のスロットマシン。
【請求項１１】
スロットマシンは周囲に複数の図柄が付されている複数の回転リールと、各回転リールの回転を開始させるためのスタートスイッチと、各回転リールの回転を停止させるためのものであり各回転リールにそれぞれ対応して設けられている複数のストップスイッチと、スロットマシンを制御するための制御装置とを備え、
制御装置は、遊技を制御するための遊技制御手段と、複数の役のいずれかに当選したか又はハズレかの抽選を行うための役抽選手段と、役抽選手段の抽選結果と各ストップスイッチが操作されたときの対応する回転リールの回転位置とに基づいて各回転リールの停止制御を行うための停止制御手段と、すべての回転リールの回転が停止した際における図柄の配列に基づいて複数の役のいずれかに入賞したか又は入賞なしかの判定を行うための入賞判定手段とを備え、
数値の決定確率が異なる複数の高期待モード抽選テーブルを備えるとともに、役抽選手段の抽選結果に基づいて、複数の高期待モード抽選テーブルの中から１の高期待モード抽選テーブルを選択して、数値の抽選を行う高期待モード抽選手段を備えたことを特徴とする請求項２、３、４、５、６、７、８、９又は１０記載のスロットマシン。
【請求項１２】
スロットマシンは周囲に複数の図柄が付されている複数の回転リールと、各回転リールの回転を開始させるためのスタートスイッチと、各回転リールの回転を停止させるためのものであり各回転リールにそれぞれ対応して設けられている複数のストップスイッチと、スロットマシンを制御するための制御装置とを備え、
制御装置は、遊技を制御するための遊技制御手段と、複数の役のいずれかに当選したか又はハズレかの抽選を行うための役抽選手段と、役抽選手段の抽選結果と各ストップスイッチが操作されたときの対応する回転リールの回転位置とに基づいて各回転リールの停止制御を行うための停止制御手段と、すべての回転リールの回転が停止した際における図柄の配列に基づいて複数の役のいずれかに入賞したか又は入賞なしかの判定を行うための入賞判定手段とを備え、
遊技制御手段は、特別遊技として、いずれかの役の入賞となる確率が一般遊技よりも高いレギュラーボーナスゲーム、又はレギュラーボーナスゲームへの移行に係るレギュラーボーナス入賞となる確率が一般遊技よりも高いビッグボーナスゲームの少なくとも一方を設けていることを特徴とする請求項１、２、３、４、５、６、７、８、９、１０又は１１記載のスロットマシン。
【請求項１３】
制御装置は、
役抽選手段の抽選結果がレギュラーボーナス入賞の引き当てに係るレギュラーボーナス当選となった場合に数値が加算されるレギュラーボーナスカウンタと、
役抽選手段の抽選結果がビッグボーナス入賞と引き当てに係るビッグボーナス当選となった場合に数値が加算されるビッグボーナスカウンタと、
レギュラーボーナスカウンタ又はビッグボーナスカウンタが所定の数値を記憶している場合に、レギュラーボーナスゲームへの移行に係るレギュラーボーナス入賞、又はビッグボーナスゲームへの移行に係るビッグボーナス入賞を可能とするか否かの抽選を行うための放出抽選手段とを備え、
停止制御手段は、放出抽選手段の抽選結果がレギュラーボーナス入賞又はビッグボーナス入賞を可能とする旨となった場合に、レギュラーボーナス入賞又はビッグボーナス入賞を引き当て得るように各回転リールの停止制御を行い、
遊技制御手段は、放出抽選手段の抽選結果がレギュラーボーナス入賞又はビッグボーナス入賞を可能とする旨となる確率が通常モードの遊技よりも高い高確率モードの遊技を実行可能に形成されていることを特徴とする請求項１２記載のスロットマシン。
【請求項１４】
特別遊技の実行前に記憶されていた高確率モード用カウンタ又は高期待モード用カウンタの数値のうち、少なくともいずれか一方を、特別遊技の実行後に保持するカウンタメモリ持越手段を備えたことを特徴とする請求項１、２、３、４、５、６、７、８、９、１０、１１、１２又は１３記載のスロットマシン。
【発明の詳細な説明】
【技術分野】
【０００１】
本発明は、スロットマシンに関し、さらに詳しくは、特別遊技への移行確率が異なる複数のモードを設けたスロットマシンに関するものである。
【背景技術】
【０００２】
下記の特許文献１に開示されているスロットマシンは、一般的な遊技である通常遊技を制御するための通常遊技制御手段と、遊技者にとって通常遊技よりも有利な遊技である特別遊技を制御するための特別遊技制御手段と、通常遊技及び特別遊技とは異なる遊技である特殊遊技を制御するための特殊遊技制御手段と、特殊遊技を終了するか否かを決定する抽選である終了抽選を行うための終了抽選手段とを備えている。また、終了抽選手段は、特殊遊技を終了する旨の決定確率が異なるように定めた複数の終了抽選テーブルを備えている。また、スロットマシンは、いずれの終了抽選テーブルに移行させるかを決定する抽選である移行抽選を行うための移行抽選手段を備えている。そして、移行抽選手段は、所定の契機で、移行抽選を行うように形成されている。
【０００３】
つまり、下記の特許文献１に開示されているスロットマシンは、所定の契機で移行抽選を行い、この移行抽選の結果に基づいて、特殊遊技の終了確率を高くしたり低くしたりするようにしたものである。
なお、本明細書中、「当選」とは、役の抽選で当たることを意味し、「入賞」とは、すべての回転リールの回転が停止したときに有効な入賞ライン上に所定の図柄が所定の配列で揃うことを意味する。
【特許文献１】特開２００３−２６５７０２号公報
【発明の開示】
【発明が解決しようとする課題】
【０００４】
ところで、上記の特許文献１に開示されているスロットマシンのように、所定の契機で移行抽選を行い、この移行抽選の結果に基づいて、終了抽選テーブルを移行させて、特殊遊技の終了確率を高くしたり低くしたりすれば、遊技が単調にならないようにすることができ、遊技者の興趣を高めることができるものの、近年では、このようなスロットマシンも遊技者に飽きられつつある。このため、遊技者の興趣をより一層高めることができるスロットマシンの開発が求められている。
（請求項１）
そこで、請求項１記載の発明は、所定時に数値の抽選を行う高確率モード抽選手段と、高確率モード抽選手段に対応して設けた高確率モード用カウンタとを備え、例えば、高確率モード用カウンタの数値が０のときには、通常モードとし、高確率モード用カウンタの数値が１以上のときには、特別遊技への移行確率が通常モードよりも高い高確率モードとすることにより、特別遊技の発生しやすい状況と、そうでない状況とを創出し、遊技が単調にならないようにして、遊技者の興趣を高めるようにしたスロットマシンを提供することを目的とする。
【０００５】
（請求項２）
また、請求項２記載の発明は、請求項１記載の発明の目的に加え、通常モードから高確率モードへ移行する際には、高期待モードの遊技を経由するようにし、高期待モードになると、高確率モードへの移行の期待感が高まるようにして、特別遊技への移行の期待感が高まるようにするとともに、高期待モードにならなければ、高確率モードへの移行の期待感が薄れるようにし、遊技の緊張感が高まるようにして、遊技者の興趣を高めるスロットマシンを提供することを目的とする。
（請求項３）
また、請求項３記載の発明は、請求項２記載の発明の目的に加え、高期待モード抽選手段の抽選結果が、例えば、１以上になる確率が比較的高い好機状態を設けることにより、好機状態になると、高期待モードへの移行、あるいは高期待モードの上乗せの期待感が高まるようにし、ひいては高確率モード及び特別遊技への移行の期待感が高まるようにして、遊技者の興趣を高めるスロットマシンを提供することを目的とする。
【０００６】
（請求項４）
また、請求項４記載の発明は、請求項３記載の発明の目的に加え、所定時に数値の抽選を行う好機状態抽選手段と、好機状態抽選手段に対応して設けた好機状態用カウンタとを備え、例えば、好機状態用カウンタの数値が０のときには、好機状態にはせず、好機状態用カウンタの数値が１以上のときには、好機状態とすることにより、遊技が単調にならないようにして、遊技者の興趣を高めるスロットマシンを提供することを目的とする。
（請求項５）
また、請求項５記載の発明は、請求項４記載の発明の目的に加え、特別遊技の終了時に、好機状態抽選手段による数値の抽選を行うことにより、特別遊技が連続して行われる連荘の期待感を高めて、遊技者の興趣を高めるスロットマシンを提供することを目的とする。
【０００７】
（請求項６）
また、請求項６記載の発明は、請求項１ないし５記載の発明の目的に加え、通常モードから高確率モードへ移行させる場合には、通常モードから移行待ちモードへ移行させた後に、移行待ちモードから高確率モードへ移行させることにより、移行待ちモードにおいて高確率モードへの移行を察知させるような種々の演出を行うことができるようにして、遊技者の興趣を高めるスロットマシンを提供することを目的とする。
（請求項７）
また、請求項７記載の発明は、一般遊技中の遊技として、通常モードと、高確率モードと、高期待モードとを設けるとともに、高確率モードとして、第１高確率モードと第２高確率モードとを設け、高期待モードを通常モードから第２高確率モードに移行する際に必ず経由するモードとすることで、第１高確率モード抽選手段と第２高確率モード抽選手段とで移行方法を異ならせ、遊技が単調にならないようにし、遊技者の興趣を高めるスロットマシンを提供することを目的とする。
【０００８】
（請求項８）
また、請求項８記載の発明は、一般遊技中の遊技として、通常モードと、第１高確率モードと、第２高確率モードと、高期待モードと、移行待ちモードとを設け、また、これらのモードからは独立した一般遊技中の遊技として、通常状態と好機状態とを設け、第１高確率モード用カウンタ、第２高確率モード用カウンタ、移行待ちモード用カウンタ、及び高期待モード用カウンタの４つのカウンタの数値に基づいて、これら５つのモードの中からいずれか１のモードを択一的に選択して移行させるとともに、これらからは独立して、好機状態用カウンタの数値に基づいて、２つの状態の中からいずれか１つの状態を択一的に選択して移行させることにより、遊技が単調にならないようにして、遊技者の興趣を高めるスロットマシンを提供することを目的とする。
【０００９】
（請求項９）
また、請求項９記載の発明は、請求項１ないし８記載の発明の目的に加え、一般遊技中の遊技において、いずれのモード及び状態が実行されているかを報知する報知手段を備えたことにより、遊技者がいずれのモード及び状態が実行されているかを察知しやすくなるスロットマシンを提供することを目的とする。
（請求項１０）
また、請求項１０記載の発明は、請求項１ないし９記載の発明の目的に加え、役抽選手段の抽選結果に基づいて、高確率モード抽選手段が数値の抽選を行うことにより、遊技が単調にならないようにして、遊技者の興趣を高めるスロットマシンを提供することを目的とする。
【００１０】
（請求項１１）
また、請求項１１記載の発明は、請求項２ないし１０記載の発明の目的に加え、役抽選手段の抽選結果に基づいて、高期待モード抽選手段が数値の抽選を行うことにより、遊技が単調にならないようにして、遊技者の興趣を高めるスロットマシンを提供することを目的とする。
（請求項１２）
また、請求項１２記載の発明は、請求項１ないし１１記載の発明の目的に加え、特別遊技として、レギュラーボーナスゲーム、又はビッグボーナスゲームの少なくとも一方を実行することにより、これらのボーナスゲームが発生しやすい状況と、そうでない状況とを創出することが可能なスロットマシンを提供することを目的とする。
【００１１】
（請求項１３）
また、請求項１３記載の発明は、請求項１２記載の発明の目的に加え、レギュラーボーナス当選又はビッグボーナス当選を一旦ストックし、ストックしているレギュラーボーナス当選又はビッグボーナス当選の放出が抽選で決定されると、レギュラーボーナス入賞又はビッグボーナス入賞を引き当て得るようにすることにより、意図的にボーナスを連続させることが容易となり、遊技が単調にならないようにして、遊技者の興趣を高めるスロットマシンを提供することを目的とする。
（請求項１４）
また、請求項１４記載の発明は、請求項１ないし１３記載の発明の目的に加え、高確率モード用カウンタ又は高期待モード用カウンタの少なくともいずれか一方が記憶している数値を、特別遊技の終了後も保持するカウンタメモリ持越手段を備えたことで、再び高確率モード又は高期待モードの遊技が行われ、特別遊技が再び発生する可能性が高くなるスロットマシンを提供することを目的とする。
【課題を解決するための手段】
【００１２】
（請求項１）
請求項１記載の発明は、一般的な遊技である一般遊技と、遊技者にとって一般遊技よりも有利な遊技である特別遊技とを実行可能に形成され、一般遊技中に、特別遊技への移行確率が一定の通常モードの遊技と、特別遊技への移行確率が通常モードよりも高い高確率モードの遊技とを実行可能に形成されているスロットマシン10であって、所定時に数値の抽選を行うための高確率モード抽選手段と、高確率モード抽選手段の抽選結果である数値を加算し、かつ、高確率モードの遊技が行われる毎に、記憶している数値から所定数を減算するための高確率モード用カウンタと、高確率モード用カウンタが記憶している数値に基づき、一般遊技中の遊技を、通常モード又は高確率モードに移行させるための高確率モード制御手段119とを備えたことを特徴とする。
【００１３】
ここで、「一般遊技」とは、スロットマシン10における一般的な遊技をいう。
また、「特別遊技」とは、遊技者にとって一般遊技よりも有利な遊技をいう。
また、特別遊技としては、例えば、いずれかの役の入賞となる確率が一般遊技よりも高くなるレギュラーボーナスゲーム（ＲＢゲーム）や、レギュラーボーナス入賞となる確率が一般遊技よりも高くなるビッグボーナスゲーム（ＢＢゲーム）や、報知された操作手順に従うといずれかの役に入賞しやすくなるアシストタイム（ＡＴ）や、遊技者が意図する位置に図柄を停止させやすくなるチャレンジタイム（ＣＴ）などがある。
また、「通常モード」とは、特別遊技への移行確率が一定のモードをいう。
【００１４】
また、「高確率モード」とは、特別遊技への移行確率が通常モードよりも高いモードをいう。
また、通常モードも、高確率モードも、一般遊技中のモードである。
また、例えば、通常モードでは、特別遊技への移行確率を「１／１００」とし、一方、高確率モードでは、特別遊技への移行確率を「１／１０」とすることができる。
また、「高確率モード抽選手段」とは、所定時に数値の抽選を行うためのものである。
また、「所定時」は、例えば、一般遊技中に遊技が行われる毎、とすることができ、また、役抽選手段104の抽選結果がベル当選となったとき、所定の抽選に当選したとき、などとすることができる。
【００１５】
また、高確率モード抽選手段は、例えば、「０から５０まで」の範囲内で数値の抽選を行うようにすることができる。つまり、高確率モード抽選手段は、一定範囲内で、数値の抽選を行うようにすることができる。換言すれば、高確率モード抽選手段の抽選結果である数値に、上限・下限を設けることができる。
また、「高確率モード用カウンタ」は、高確率モード抽選手段の抽選結果である数値を加算し、かつ、高確率モードの遊技が行われる毎に、記憶している数値から所定数を減算するためのものである。
例えば、高確率モード抽選手段の抽選結果が「１０」になったとする。そうすると、高確率モード用カウンタは、すでに記憶している数値に「１０」を加算して記憶する。
【００１６】
また、例えば、高確率モード抽選手段の抽選結果が「０」になった場合には、高確率モード用カウンタの数値は加算されない。
また、「加算し」とは、例えば、高確率モード用カウンタが記憶している数値が「１５」のときに、高確率モード抽選手段の抽選結果が「１０」になったとすると、高確率モード用カウンタは、「１５」に「１０」を加算して、その後には「２５」を記憶することを意味する。
また、高確率モード用カウンタは、高確率モードの遊技が行われる毎に、記憶している数値から、例えば、「１」を減算する。
【００１７】
また、例えば、減算する数値を抽選してその都度決定するようにしてもよい。
また、例えば、役抽選手段104の抽選結果がリプレイ当選のときには「３」を減算し、また、役抽選手段104の抽選結果がベル当選のときには「５」を減算するなど、役抽選手段104の抽選結果や、その他の条件に基づいて、減算する数値を変更してもよい。「所定数を減算する」とは、その旨を意味するものである。つまり、減算する数は、「１」に限られない。
また、高確率モード用カウンタは、例えば、「０から１００まで」の範囲内で数値を記憶可能にすることができる。つまり、高確率モード用カウンタは、一定範囲内で、数値を記憶可能にすることができる。換言すれば、高確率モード用カウンタが記憶する数値に、上限・下限を設けることができる。
【００１８】
また、「高確率モード制御手段119」は、高確率モード用カウンタが記憶している数値に基づき、一般遊技中の遊技を、通常モード又は高確率モードへ移行させるためのものである。
また、高確率モード制御手段119は、例えば、高確率モード用カウンタが記憶している数値が１以上であれば、高確率モードとし、また、高確率モード用カウンタが記憶している数値が０であれば、通常モードとする。
より具体的には、高確率モード制御手段119は、例えば、高確率モード用カウンタが記憶している数値が減算されて「１０」から「９」になったときには、高確率モードを維持し、また、高確率モード用カウンタが記憶している数値が減算されて「１」から「０」になったときには、高確率モードから通常モードへ移行させ、また、高確率モード用カウンタが記憶している数値が加算されず「０」のままであれば、通常モードを維持し、また、高確率モード用カウンタに数値が加算されて「０」から「１０」になったときには、通常モードから高確率モードへ移行させる。
【００１９】
このように、本発明では、高確率モード抽選手段により数値の抽選が行われ、この抽選結果である数値が、高確率モード用カウンタに加算され、また、高確率モードの遊技が行われる毎に、高確率モード用カウンタの数値が所定数減算される。そして、高確率モード用カウンタの数値に基づいて、通常モードへ移行したり、高確率モードへ移行したりする。具体的には、例えば、高確率モード用カウンタの数値が１以上であれば、高確率モードとなり、また、高確率モード用カウンタの数値が０であれば、通常モードとなる。
このため、本発明では、例えば、高確率モード抽選手段の抽選結果が１以上になり、高確率モード用カウンタの数値が１以上になると、高確率モードへ移行し、高確率モード用カウンタの数値が０になる前に、高確率モード抽選手段の抽選結果が１以上になり、高確率モード用カウンタの数値が上乗せされれば、高確率モードがその上乗せされた分だけ引き続き実行されることとなるものの、その一方で、高確率モード抽選手段の抽選で０が続き、高確率モード用カウンタの数値が０になると、通常モードへ移行するようにして、特別遊技の発生しやすい状況と、そうでない状況とを創出可能となり、遊技が単調にならず、遊技者の興趣が高まる。
【００２０】
（請求項２）
請求項２記載の発明は、請求項１記載の発明を限定したものであって、一般遊技中に、通常モードから高確率モードに移行する際に必ず経由する高期待モードの遊技を実行可能に形成されたスロットマシンであって、所定時に高確率モード抽選手段による数値の抽選を行うスロットマシン10であって、所定時に数値の抽選を行うための高期待モード抽選手段113と、高期待モード抽選手段113の抽選結果である数値を加算し、かつ、高期待モードの遊技が行われる毎に、記憶している数値から所定数を減算するための高期待モード用カウンタ117とを備え、高確率モード用カウンタ及び高期待モード用カウンタ117が記憶している数値に基づき、一般遊技中の遊技を、通常モード、高確率モード又は高期待モードに移行させるための高確率モード制御手段119を備えたことを特徴とする。
【００２１】
ここで、「高期待モード」とは、通常モードから高確率モードに移行する際に必ず経由されるモードのことである。「必ず経由される」とは、高確率モード抽選手段による数値の抽選を実行する「所定時」を、高期待モードの遊技が行われる場合にのみ、または、高期待モードの遊技において抽選等により高確率モード抽選手段による数値の抽選を行うことが決定された場合にのみ、と限定することにより、高期待モードを必ず経由するように形成することができる。
すなわち、高期待モードは、高確率モード抽選手段による抽選が行われる契機を創出するための遊技である。
【００２２】
また、高期待モードは、一般遊技中のモードである。
また、本発明では、高期待モードは、通常モード及び高確率モードと同次元のモードである。つまり、本発明では、一般遊技中に、まず、通常モードと、高確率モードと、高期待モードとがあり、これら３つのモードの中からいずれか１つのモードが択一的に選択される。
また、「高期待モード抽選手段113」は、所定時に数値の抽選を行うためのものである。
また、「所定時」は、例えば、一般遊技中に遊技が行われる毎、とすることができ、また、役抽選手段104の抽選結果がベル当選となったとき、所定の抽選に当選したとき、などとすることができる。
【００２３】
また、高期待モード抽選手段113は、高確率モード抽選手段と同様に、一定範囲内で、数値の抽選を行うようにすることができる。
また、「高期待モード用カウンタ117」は、高期待モード抽選手段113の抽選結果である数値を加算し、かつ、高期待モードの遊技が行われる毎に、記憶している数値から所定数を減算するためのものである。
また、数値の加算及び減算については、高確率モード用カウンタと同様である。
また、「所定数を減算する」の意義についても、高確率モード用カウンタと同様である。
【００２４】
また、高期待モード用カウンタ117は、高確率モード用カウンタと同様に、一定範囲内で、数値を記憶可能にすることができる。
また、本発明では、高確率モード制御手段119は、高確率モード用カウンタ及び高期待モード用カウンタ117が記憶している数値に基づき、一般遊技中の遊技を、通常モード、高確率モード又は高期待モードに移行させる。
具体的には、本発明では、高確率モード制御手段119は、例えば、高確率モード用カウンタが記憶している数値が１以上であれば、高期待モード用カウンタ117の数値にかかわらず、高確率モードとし、また、高確率モード用カウンタが記憶している数値が０であり、かつ高期待モード用カウンタ117の記憶している数値が１以上であれば、高期待モードとし、また、高確率モード用カウンタの数値も高期待モード用カウンタ117の数値もいずれも０であれば、通常モードとする。
【００２５】
このように、本発明では、高期待モード抽選手段113により数値の抽選が行われ、この抽選結果である数値が、高期待モード用カウンタ117に加算され、また、高期待モードの遊技が行われる毎に、高期待モード用カウンタ117の数値が所定数減算される。また、本発明では、高期待モードの遊技が行われる場合にのみ、または、高期待モードの遊技において抽選等により高確率モード抽選手段による数値の抽選を行うことが決定された場合にのみ、高確率モード抽選手段により数値の抽選を行うように形成することができる。そして、この抽選結果である数値が、高確率モード用カウンタに加算される。そして、高確率モード用カウンタ及び高期待モード用カウンタ117の数値に基づいて、通常モードへ移行したり、高確率モードへ移行したり、高期待モードへ移行したりする。
【００２６】
このため、本発明では、例えば、高期待モード抽選手段113の抽選結果が１以上になり、高期待モード用カウンタ117の数値が１以上になると、高期待モードに移行し、高確率モード抽選手段による抽選を行うことができるが、その一方で、高期待モード抽選手段113の抽選結果で０が続き、高期待モード用カウンタ117の数値が０になると、高確率モード抽選手段による抽選が行われないため、期待感のある遊技と緊張感のある遊技が創出可能になり、遊技者の興趣が高まる。
（請求項３）
請求項３記載の発明は、請求項２記載の発明を限定したものであって、一般遊技又は特別遊技の少なくともいずれか一方の遊技中に、高期待モードへの移行確率が一定の通常状態の遊技と、高期待モードへの移行確率が通常状態よりも高い好機状態の遊技とを実行させるための好機状態制御手段122を備え、数値の決定確率が異なる複数の高期待モード抽選テーブルを備えるとともに、好機状態であるか否かに基づき、複数の高期待モード抽選テーブルの中から１の高期待モード抽選テーブルを選択して、数値の抽選を行う高期待モード抽選手段113を備えたことを特徴とする。
【００２７】
ここで、「通常状態」とは、高期待モードへの移行確率が一定の状態をいう。
また、「好機状態」とは、高期待モードへの移行確率が、通常状態よりも高い状態をいう。
また、通常状態も、好機状態も、一般遊技又は特別遊技の少なくともいずれか一方の遊技中の状態である。
また、本発明では、通常状態及び好機状態は同次元の遊技であり、かつ、通常モード、高確率モード及び高期待モードとは、別次元の遊技である。つまり、本発明では、一般遊技中には、通常モード、高確率モード及び高期待モードがあり、これら３つのモードの中からいずれか１つのモードが択一的に選択され、さらに、通常モード、高確率モード及び高期待モードのそれぞれについて、通常状態と好機状態との２つの状態からいずれか１つの状態が択一的に選択される。すなわち、一般遊技中には、通常状態であり通常モードの遊技、通常状態であり高確率モードの遊技、好機状態であり通常モードの遊技、などが実行可能になっている。
【００２８】
また、「好機状態制御手段122」は、一般遊技中あるいは特別遊技中の遊技を、通常状態又は好機状態に移行させるためのものである。
また、本発明では、高期待モード抽選手段113は、数値の決定確率が異なる複数の高期待モード抽選テーブルを備えるとともに、好機状態であるか否かに基づき、複数の高期待モード抽選テーブルの中から１の高期待モード抽選テーブルを選択して、数値の抽選を行う。
またここで、「高期待モード抽選テーブル」は、高期待モード抽選手段113が数値の抽選を行うに際して用いるテーブルである。本発明では、高期待モード抽選手段113は、数値の決定確率が異なる複数の高期待モード抽選テーブルを備える。
【００２９】
例えば、１の高期待モード抽選テーブルについては、抽選結果が１以上になる確率が「１／５０」になるように定め、また、他の高期待モード抽選テーブルについては、抽選結果が１以上になる確率が「１／１０」になるように定めることができる。
そして、高期待モード抽選手段113は、通常状態、すなわち好機状態ではないときには、抽選結果が１以上になる確率が「１／５０」になるように定めた高期待モード抽選テーブルを選択して、数値の抽選を行い、一方、好機状態では、抽選結果が１以上になる確率が「１／１０」になるように定めた高期待モード抽選テーブルを選択して、数値の抽選を行うように形成することができる。
【００３０】
そうすると、好機状態ではないときには、高期待モード抽選手段113の抽選結果が１以上になる確率が「１／５０」になり、一方、好機状態では、高期待モード抽選手段113の抽選結果が１以上になる確率が「１／１０」になる。
これにより、好機状態では、高期待モード抽選手段113の抽選結果が１以上になる確率が、好機状態ではないときよりも高くなり、これにより、高期待モード用カウンタ117に数値が加算される確率が、好機状態ではないときよりも高くなる。このため、好機状態へ移行すると、高期待モードへの移行、ひいては高確率モードへの移行の期待感が高まる。つまり、例えば、通常モード中又は高確率モード中に好機状態となると、高期待モードへの移行の期待感が高まり、また、高期待モード中に好機状態となると、高期待モードの上乗せの期待感が高まる。したがって、遊技が単調にならず、遊技者の興趣が高まる。
【００３１】
（請求項４）
請求項４記載の発明は、請求項３記載の発明を限定したものであって、所定時に数値の抽選を行うための好機状態抽選手段120と、好機状態抽選手段120の抽選結果である数値を加算し、かつ、好機状態の遊技が行われる毎に、記憶している数値から所定数を減算するための好機状態用カウンタ121とを備え、好機状態用カウンタ121が記憶している数値に基づき、好機状態の遊技を実行させる好機状態制御手段122を備えたことを特徴とする。
ここで、本発明では、スロットマシン10は、請求項３記載の発明の構成に加えて、好機状態抽選手段120と、好機状態用カウンタ121とをさらに備えている。
【００３２】
このように、本発明では、好機状態抽選手段120により数値の抽選が行われ、この抽選結果である数値が、好機状態用カウンタ121に加算され、また、好機状態の遊技が行われる毎に、好機状態用カウンタ121の数値が所定数減算される。そして、好機状態用カウンタ121の数値に基づいて、好機状態になったり、好機状態ではなくなったりする。具体的には、例えば、好機状態用カウンタ121の数値が１以上であれば、好機状態になり、また、好機状態用カウンタ121の数値が０であれば、通常状態になる。また、好機状態用カウンタ121の数値が０になる前に、好機状態抽選手段120の抽選結果が１以上になり、好機状態用カウンタ121の数値が上乗せされれば、好機状態がその上乗せされた分だけ引き続き実行されることとなる。更に、好機状態になると、高期待モード抽選手段113の抽選結果が１以上になる確率が、好機状態ではないときよりも高くなることから、高期待モード用カウンタ117に数値が加算される確率が、好機状態ではないときよりも高くなる。これにより、好機状態になると、高期待モードへの移行又は高期待モードの上乗せの期待感が高まり、ひいては、高確率モード及び特別遊技への移行の期待感も高まる。一方、好機状態抽選手段120の抽選で０が続き、好機状態用カウンタ121の数値が０になると、通常状態になる。そうすると、高期待モードへの移行又は高期待モードの上乗せの期待感が薄まることから、高確率モード及び特別遊技への移行の期待感も薄まる。したがって、遊技が単調にならず、遊技者の興趣が高まる。
【００３３】
（請求項５）
請求項５記載の発明は、請求項４記載の発明を限定したものであって、特別遊技の終了時に、数値の抽選を行う好機状態抽選手段120を備えたことを特徴とする。
つまり、本発明では、好機状態抽選手段120は、特別遊技の終了時に、数値の抽選を行う。
またここで、好機状態抽選手段120は、例えば、特別遊技の終了時には、抽選結果が１以上になるように定めた好機状態抽選テーブルを用いて数値の抽選を行うことができる。そうすると、特別遊技の終了後には、好機状態用カウンタ121の数値が１以上になることから、好機状態となり、これにより、高期待モードへの移行、あるいは高期待モードの上乗せの期待感が高まり、ひいては、高確率モード及び特別遊技への移行の期待感も高まる。つまり、特別遊技の連荘の期待感が高まる。このため、遊技が単調にならず、遊技者の興趣が高まる。
【００３４】
（請求項６）
請求項６記載の発明は、請求項１ないし５記載の発明を限定したものであって、一般遊技中に移行待ちモードの遊技を実行可能に形成され、通常モードから高確率モードへ移行させる場合には、通常モードから移行待ちモードへ移行させた後に、移行待ちモードから高確率モードへ移行させる高確率モード制御手段119を備えたスロットマシンであって、所定時に数値の抽選を行うための移行待ちモード抽選手段114と、移行待ちモード抽選手段114の抽選結果である数値を加算し、かつ、移行待ちモードの遊技が行われる毎に、記憶している数値から所定数を減算するための移行待ちモード用カウンタ118とを備え、高確率モード用カウンタ及び移行待ちモード用カウンタ118が記憶している数値に基づき、一般遊技中の遊技を、通常モード、移行待ちモード又は高確率モードに移行させる高確率モード制御手段119を備えたことを特徴とする。
【００３５】
ここで、「移行待ちモード」とは、通常モードから高確率モードへ移行する前に移行するモードをいう。
また、移行待ちモードは、一般遊技中のモードである。
また、移行待ちモードは、通常モード及び高確率モードと同次元のモードである。つまり、一般遊技中に、通常モードと、高確率モードと、移行待ちモードとがあり、これら３つのモードの中からいずれか１つのモードが択一的に選択される。
また、本発明では、高確率モード制御手段119は、通常モードから高確率モードへ移行させる場合には、通常モードから移行待ちモードへ移行させた後に、移行待ちモードから高確率モードへ移行させる。
【００３６】
具体的には、例えば、高確率モード抽選手段の抽選結果が１以上になり、これに伴い、高確率モード用カウンタの数値が０から１以上になると、高確率モード制御手段119は、通常モードから一旦移行待ちモードへ移行させ、この移行待ちモードで遊技を所定回数行わせた後に、移行待ちモードから高確率モードへ移行させる。
また、例えば、高確率モード制御手段119は、高確率モード用カウンタの数値が１以上になっても、移行待ちモード抽選手段114の抽選結果が１以上にならず、移行待ちモードの遊技が実行できない限りは、高確率モードに移行させない、とすることができる。
また、例えば、高確率モード抽選手段による数値の抽選結果が必ず１以上になるようにし、抽選を行う「所定時」を移行待ちモードの終了時とすることで、移行待ちモードに移行させた後に高確率モードへ移行するように形成することができる。
【００３７】
すなわち、移行待ちモードは、高確率モードへ移行することが決定された後に実行される遊技である。
また、「移行待ちモード抽選手段114」は、所定時に数値の抽選を行うためのものである。
また、「所定時」は、例えば、高確率モード抽選手段の抽選結果が１以上になり、これに伴い、高確率モード用カウンタの数値が０から１以上になって、通常モードから高確率モードへの移行が確定したとき、とすることができる。また、高確率モード抽選手段の場合と同様に、一般遊技中に遊技が行われる毎、などとすることができる。
【００３８】
また、移行待ちモード抽選手段114は、高確率モード抽選手段と同様に、一定範囲内で、数値の抽選を行うようにすることができる。
また、「移行待ちモード用カウンタ118」は、移行待ちモード抽選手段114の抽選結果である数値を加算し、かつ、移行待ちモードの遊技が行われる毎に、記憶している数値から所定数を減算するためのものである。
また、数値の加算及び減算については、高確率モード用カウンタと同様である。
また、「所定数を減算する」の意義についても、高確率モード用カウンタと同様である。
【００３９】
また、移行待ちモード用カウンタ118は、高確率モード用カウンタと同様に、一定範囲内で、数値を記憶可能にすることができる。
また、本発明では、高確率モード制御手段119は、高確率モード用カウンタ及び移行待ちモード用カウンタ118が記憶している数値に基づき、一般遊技中の遊技を、通常モード、移行待ちモード、又は高確率モードへ移行させる。
具体的には、本発明では、高確率モード制御手段119は、例えば、移行待ちモード用カウンタ118の数値が１以上であれば、高確率モード用カウンタの数値にかかわらず、移行待ちモードとし、また、移行待ちモード用カウンタ118の数値が０であり、かつ、高確率モード用カウンタの数値が１以上であれば、高確率モードとし、また、移行待ちモード用カウンタ118の数値も高確率モード用カウンタの数値もいずれも０であれば、通常モードとする。
【００４０】
このように、本発明では、通常モードから高確率モードへの移行確定後に、通常モードから一旦移行待ちモードへ移行させ、その後に移行待ちモードから高確率モードへ移行させることにより、移行待ちモードにおいて高確率モードへの移行を察知させるような種々の演出を行うことができる。これにより、遊技者の期待感を高めることができる。
（請求項７）
請求項７記載の発明は、一般的な遊技である一般遊技と、遊技者にとって一般遊技よりも有利な遊技である特別遊技とを実行可能に形成され、一般遊技中に、特別遊技への移行確率が一定の通常モードの遊技と、特別遊技への移行確率が通常モードよりも高い高確率モードの遊技と、高期待モードの遊技とを実行可能に形成され、高確率モードには、第１高確率モードと第２高確率モードとがあり、高期待モードは、通常モードから第２高確率モードに移行する際に必ず経由する遊技として形成されているスロットマシンであって、所定時に数値の抽選を行うための第１高確率モード抽選手段と、所定時に数値の抽選を行うための第２高確率モード抽選手段と、所定時に数値の抽選を行うための高期待モード抽選手段113と、第１高確率モード抽選手段111の抽選結果である数値を加算し、かつ、第１高確率モードの遊技が行われる毎に、記憶している数値から所定数を減算するための第１高確率モード用カウンタ115と、第２高確率モード抽選手段112の抽選結果である数値を加算し、かつ、第２高確率モードの遊技が行われる毎に、記憶している数値から所定数を減算するための第２高確率モード用カウンタ116と、高期待モード抽選手段113の抽選結果である数値を加算し、かつ、高期待モードの遊技が行われる毎に、記憶している数値から所定数を減算するための高期待モード用カウンタ117と、第１高確率モード用カウンタ115、第２高確率モード用カウンタ116及び高期待モード用カウンタ117が記憶している数値に基づき、一般遊技中の遊技を、通常モード、第１高確率モード、第２高確率モード又は高期待モードに移行させる高確率モード制御手段119を備えたことを特徴とする。
【００４１】
ここで、本発明では、一般遊技中のモードとして、通常モードと、高確率モードと、高期待モードとを設けている。
また、本発明では、高確率モードとして、「第１高確率モード」と「第２高確率モード」とを設けている。
また、第１高確率モードと第２高確率モードとでは、特別遊技への移行確率が異なるように形成することができる。例えば、第１高確率モードよりも第２高確率モードの方が高くてもよく、逆に、第２高確率モードよりも第１高確率モードの方が高くてもよく、また、第１高確率モードと第２高確率モードが同じ確率でもよい。
【００４２】
また、本発明では、高確率モード抽選手段として、「第１高確率モード抽選手段111」と「第２高確率モード抽選手段112」とを備えている。
また、第１高確率モード抽選手段111は、所定時に数値の抽選を行うためのものである。この第１高確率モード抽選手段111は、請求項１記載の発明における高確率モード抽選手段と同様のものである。
また、第２高確率モード抽選手段112は、所定時に数値の抽選を行うためのものである。この第２高確率モード抽選手段112は、請求項２記載の発明における高確率モード抽選手段と同様のものである。
【００４３】
また、本発明では、高確率モード用カウンタとして、「第１高確率モード用カウンタ115」と「第２高確率モード用カウンタ116」とを備えている。
また、第１高確率モード用カウンタ115は、第１高確率モード抽選手段111に対応して設けられている高確率モード用カウンタである。
また、第２高確率モード用カウンタ116は、第２高確率モード抽選手段112に対応して設けられている高確率モード用カウンタである。
また、高期待モード抽選手段113及び高期待モード用カウンタ117については、請求項２記載の発明における高期待モード抽選手段113及び高期待モード用カウンタ117と同様のものである。
【００４４】
また、本発明では、高確率モード制御手段119は、第１高確率モード用カウンタ115、第２高確率モード用カウンタ116及び高期待モード用カウンタ117が記憶している数値に基づき、一般遊技中の遊技を、通常モード、第１高確率モード、第２高確率モード、又は高期待モードへ移行させる。
具体的には、本発明では、高確率モード制御手段119は、例えば、第１高確率モード用カウンタ115の数値が１以上であれば、第２高確率モード用カウンタ116及び高期待モード用カウンタ117の数値にかかわらず、第１高確率モードとし、また、第１高確率モード用カウンタ115の数値が０であり、かつ、第２高確率モード用カウンタ116の数値が１以上であれば、高期待モード用カウンタ117の数値にかかわらず、第２高確率モードとし、また、第１高確率モード用カウンタ115の数値も第２高確率モード用カウンタ116の数値もいずれも０であり、かつ、高期待モード用カウンタ117の数値が１以上であれば、高期待モードとし、第１高確率モード用カウンタ115の数値も、第２高確率モード用カウンタ116の数値も、高期待モード用カウンタ117の数値も０であれば、通常モードとする。
【００４５】
このように、本発明では、第１高確率モード用カウンタ115の数値、第２高確率モード用カウンタ116の数値及び高期待モード用カウンタ117の数値に基づいて、第１高確率モードへ移行したり、第２高確率モードへ移行したり、高期待モードへ移行したり、通常モードへ移行したりする。つまり、３つのカウンタの数値に基づいて、４つのモードを移行する。更に、高期待モードを経由した場合にのみ、第２高確率モード抽選手段112による抽選を行う。つまり、高期待モードでは、第２高確率モードへの移行、あるいは第２高確率モードの上乗せの期待感が高まるが、一方、高期待モードにならなければ、第２高確率モードへの移行、あるいは第２高確率モードの上乗せの期待感は薄れる。ただ、高期待モードは、第２高確率モード抽選手段112の抽選結果には影響を及ぼすものの、第１高確率モード抽選手段111の抽選結果には影響を及ぼさない。このため、高期待モードになっても、第１高確率モードへの移行、あるいは第１高確率モードの上乗せの期待感は高まらない。
【００４６】
以上より、本発明では、第１高確率モード用カウンタ115の数値、第２高確率モード用カウンタ116の数値及び高期待モード用カウンタ117の数値に基づいて、第１高確率モードへ移行したり、第２高確率モードへ移行したり、高期待モードへ移行したり、通常モードへ移行したりする上に、第１高確率モード抽選手段と第２高確率モード抽選手段とで、抽選契機を異ならせている。このため、遊技が単調にならず、遊技者の興趣が高まる。
（請求項８）
請求項８記載の発明は、一般的な遊技である一般遊技と、遊技者にとって一般遊技よりも有利な遊技である特別遊技とを実行可能に形成され、一般遊技中に、特別遊技への移行確率が一定の通常モードの遊技と、特別遊技への移行確率が通常モードよりも高い第２高確率モードの遊技と、特別遊技への移行確率が第２高確率モードよりも高い第１高確率モードの遊技と、高期待モードの遊技と、移行待ちモードの遊技とを実行可能に形成され、一般遊技中に、通常状態の遊技と、好機状態の遊技とを実行可能に形成されているスロットマシンであって、所定時に数値の抽選を行うための第１高確率モード抽選手段111と、所定時に数値の抽選を行うための第２高確率モード抽選手段112と、数値の決定確率が異なる複数の高確率テーブルを備えるとともに、第１高確率モードの抽選結果が所定値となった場合に、好機状態であるか否かに基づき、複数の高期待モード抽選テーブルの中から１の高期待モード抽選テーブルを選択して、数値の抽選を行うための高期待モード抽選手段113と、高期待モードの遊技が行われる毎に、数値の抽選を行うための移行待ちモード抽選手段114と、所定時に数値の抽選を行うための好機状態抽選手段120と、第１高確率モード抽選手段111の抽選結果である数値を加算し、かつ、第１高確率モードの遊技が行われる毎に、記憶している数値から所定数を減算するための第１高確率モード用カウンタ115と、第２高確率モード抽選手段112の抽選結果である数値を加算し、かつ、第２高確率モードの遊技が行われる毎に、記憶している数値から所定数を減算するための第２高確率モード用カウンタ116と、高期待モード抽選手段113の抽選結果である数値を加算し、かつ、高期待モードの遊技が行われる毎に、記憶している数値から所定数を減算するための高期待モード用カウンタ117と、移行待ちモード抽選手段114の抽選結果である数値を加算し、かつ、移行待ちモードの遊技が行われる毎に、記憶している数値から所定数を減算するための移行待ちモード用カウンタ118と、好機状態抽選手段120の抽選結果である数値を加算し、かつ、好機状態の遊技が行われる毎に、記憶している数値から所定数を減算するための好機状態用カウンタ121と、第１高確率モード用カウンタ115が所定の数値を記憶している場合には、第１高確率モードの遊技を実行し、第１高確率モード用カウンタ115が所定の数値を記憶しておらず、かつ、移行待ちモード用カウンタ118が所定の数値を記憶している場合には、移行待ちモードの遊技を実行し、第１高確率モード用カウンタ115及び移行待ちモード用カウンタ118がいずれも所定の数値を記憶しておらず、かつ、第２高確率モード用カウンタ115が所定の数値を記憶している場合には、第２高確率モードの遊技を実行し、第１高確率モード用カウンタ115、第２高確率モード用カウンタ116及び移行待ちモード用カウンタ118がいずれも所定の数値を記憶しておらず、かつ、高期待モード用カウンタ117が所定の数値を記憶している場合には、高期待モードの遊技を実行し、第１高確率モード用カウンタ115、第２高確率モード用カウンタ116、移行待ちモード用カウンタ118及び高期待モード用カウンタ117がいずれも所定の数値を記憶していない場合には、通常モードの遊技を実行する高確率モード制御手段119を備え、好機状態用カウンタ121が所定の数値を記憶している場合には、好機状態の遊技を実行し、好機状態用カウンタ121が所定の数値を記憶していない場合には、通常状態の遊技を実行する好機状態制御手段122を備えたことを特徴とする。
【００４７】
ここで、本発明では、一般遊技中のモードとして、通常モードと、第１高確率モードと、第２高確率モードと、高期待モードと、移行待ちモードとを設けている。
また、本発明では、一般遊技中の状態として、通常状態と、好機状態とを設けている。
また、本発明では、通常モード、第１高確率モード、第２高確率モード、高期待モード、及び移行待ちモードは、同次元のモードである。つまり、一般遊技中は、これら５つのモードの中からいずれか１のモードが択一的に選択される。
また、本発明では、通常状態と好機状態とは同次元の遊技であり、これらの状態は、通常モード、第１高確率モード、第２高確率モード、高期待モード及び移行待ちモードとは、別次元の遊技である。つまり、一般遊技中には、通常モード、第１高確率モード、第２高確率モード、高期待モード及び移行待ちモードとは独立して、通常状態の遊技と、好機状態の遊技とが実行される。そのため、一般遊技中の遊技には、通常モード、第１高確率モード、第２高確率モード、高期待モード又は移行待ちモードでありながら、通常状態の遊技と、通常モード、第１高確率モード、第２高確率モード、高期待モード又は移行待ちモードでありながら、好機状態の遊技と、それぞれの組合せの遊技が存在する。
【００４８】
そして、本発明では、高確率モード制御手段119は、第１高確率モード用カウンタ115、第２高確率モード用カウンタ116、移行待ちモード用カウンタ118、及び高期待モード用カウンタ117の数値に基づき、一般遊技中の遊技を、通常モード、第１高確率モード、第２高確率モード、高期待モード、又は移行待ちモードへ移行させる。
具体的には、本発明では、高確率モード制御手段119は、例えば、第１高確率モード用カウンタ115の数値が１以上であれば、第２高確率モード用カウンタ116、移行待ちモード用カウンタ118、及び高期待モード用カウンタ117の数値にかかわらず、第１高確率モードとし、また、第１高確率モード用カウンタ115の数値が０であり、かつ、移行待ちモード用カウンタ118の数値が１以上であれば、第２高確率モード用カウンタ116、及び高期待モード用カウンタ117の数値にかかわらず、移行待ちモードとし、また、第１高確率モード用カウンタ115及び移行待ちモード用カウンタ118の数値がいずれも０であり、かつ、第２高確率モード用カウンタ116の数値が１以上であれば、高期待モード用カウンタ117の数値にかかわらず、第２高確率モードとし、第１高確率モード用カウンタ115、第２高確率モード用カウンタ116及び移行待ちモード用カウンタ118の数値がいずれも０であり、かつ、高期待モード用カウンタ117の数値が１以上であれば、高期待モードとし、第１高確率モード用カウンタ115、第２高確率モード用カウンタ116、移行待ちモード用カウンタ118及び高期待モード用カウンタ117の数値がいずれも０であれば、通常モードとする。
【００４９】
また、本発明では、好機状態制御手段122は、好機状態用カウンタ121の数値に基づき、一般遊技中の遊技を、通常状態又は好機状態に移行させる。
具体的には、本発明では、好機状態制御手段122は、例えば、好機状態用カウンタ121の数値が１以上であれば好機状態とし、好機状態用カウンタ121の数値が０であれば、通常状態とする。
このように、本発明では、第１高確率モード用カウンタ115、第２高確率モード用カウンタ116、移行待ちモード用カウンタ118、及び高期待モード用カウンタ117の数値に基づいて、通常モードへ移行したり、第１高確率モードへ移行したり、第２高確率モードへ移行したり、高期待モードへ移行したり、移行待ちモードへ移行したりするとともに、これらからは独立して、好機状態用カウンタ121の数値に基づいて、通常状態に移行したり、好機状態に移行したりする。つまり、４つのカウンタの数値に基づいて、５つのモードを移行するとともに、１つのカウンタの数値に基づいて２つの状態を移行する。このため、遊技が単調にならず、遊技者の興趣が高まる。
【００５０】
（請求項９）
請求項９記載の発明は、請求項１ないし８記載の発明を限定したものであって、一般遊技中の遊技において、いずれのモード及び状態が実行されているか報知する報知手段125を備えたことを特徴とする。
ここで、報知手段125とは、いずれのモード及び状態が実行されているかを報知するためのものである。
本発明では、報知手段125は、スロットマシン10に備え付けの液晶ディスプレイ79、演出用ランプ77等の表示器、あるいはスピーカ78等の音声発生機器を用いて、視覚的、聴覚的な報知を行う。
【００５１】
また、報知手段125は、いずれのモード及び状態が実行されているかを明示的に報知することができるし、また、暗示的に報知することもできる。
また、全てのモード及び状態を報知するのではなく、例えば第１高確率モード及び第２高確率モードの遊技が実行されている場合のみ報知するといった、一部のモード、状態のみを報知することもできる。
このように、本発明では、報知手段125が、一般遊技中の遊技において、いずれのモードの遊技、いずれの状態の遊技、又はいずれのモードかつ状態の遊技が実行されているのかを報知する。そのため、遊技者は、いずれのモード及び状態の遊技が実行されているのかを察知しやすくなり、遊技者の興趣が高まる
（請求項１０）
請求項１０記載の発明は、請求項１ないし９記載の発明を限定したものであって、スロットマシン10は、周囲に複数の図柄が付されている複数の回転リール40と、各回転リール40の回転を開始させるためのスタートスイッチ50と、各回転リール40の回転を停止させるためのものであり各回転リール40にそれぞれ対応して設けられている複数のストップスイッチ60と、スロットマシン10を制御するための制御装置100とを備え、制御装置100は、一般遊技を制御するための一般遊技制御手段101と、複数の役のいずれかに当選したか又はハズレかの抽選を行うための役抽選手段104と、役抽選手段104の抽選結果と各ストップスイッチ60が操作されたときの対応する回転リール40の回転位置とに基づいて各回転リール40の停止制御を行うための停止制御手段106と、すべての回転リール40の回転が停止した際における図柄の配列に基づいて複数の役のいずれかに入賞したか又は入賞なしかの判定を行うための入賞判定手段107とを備え、数値の決定確率が異なる複数の高確率モード抽選テーブルを備えるとともに、役抽選手段104の抽選結果に基づいて、複数の高確率モード抽選テーブルの中から１の高確率モード抽選テーブルを選択して、数値の抽選を行う高確率モード抽選手段を備えたことを特徴とする。
【００５２】
つまり、本発明では、高確率モード抽選手段は、役抽選手段104の抽選結果に基づいて、複数の高確率モード抽選テーブルの中から１の高確率モード抽選テーブルを選択して、数値の抽選を行う。
このように、役抽選手段104の抽選結果に基づいて、高確率モード抽選テーブルを移行させることにより、遊技が単調にならず、遊技者の興趣が高まる。
（請求項１１）
請求項１１記載の発明は、請求項２ないし１０記載の発明を限定したものであって、スロットマシン10は、周囲に複数の図柄が付されている複数の回転リール40と、各回転リール40の回転を開始させるためのスタートスイッチ50と、各回転リール40の回転を停止させるためのものであり各回転リール40にそれぞれ対応して設けられている複数のストップスイッチ60と、スロットマシン10を制御するための制御装置100とを備え、制御装置100は、一般遊技を制御するための一般遊技制御手段101と、複数の役のいずれかに当選したか又はハズレかの抽選を行うための役抽選手段104と、役抽選手段104の抽選結果と各ストップスイッチ60が操作されたときの対応する回転リール40の回転位置とに基づいて各回転リール40の停止制御を行うための停止制御手段106と、すべての回転リール40の回転が停止した際における図柄の配列に基づいて複数の役のいずれかに入賞したか又は入賞なしかの判定を行うための入賞判定手段107とを備え、数値の決定確率が異なる複数の高期待モード抽選テーブルを備えるとともに、役抽選手段104の抽選結果に基づいて、複数の高期待モード抽選テーブルの中から１の高期待モード抽選テーブルを選択して、数値の抽選を行う高期待モード抽選手段113を備えたことを特徴とする。
【００５３】
つまり、本発明では、高期待モード抽選手段113は、役抽選手段104の抽選結果に基づいて、複数の高期待モード抽選テーブルの中から１の高期待モード抽選テーブルを選択して、数値の抽選を行う。
このように、役抽選手段104の抽選結果に基づいて、高期待モード抽選テーブルを移行させることにより、遊技が単調にならず、遊技者の興趣が高まる。
（請求項１２）
請求項１２記載の発明は、請求項１ないし１１記載の発明を限定したものであって、スロットマシン10は、周囲に複数の図柄が付されている複数の回転リール40と、各回転リール40の回転を開始させるためのスタートスイッチ50と、各回転リール40の回転を停止させるためのものであり各回転リール40にそれぞれ対応して設けられている複数のストップスイッチ60と、スロットマシン10を制御するための制御装置100とを備え、制御装置100は、一般遊技を制御するための一般遊技制御手段101と、複数の役のいずれかに当選したか又はハズレかの抽選を行うための役抽選手段104と、役抽選手段104の抽選結果と各ストップスイッチ60が操作されたときの対応する回転リール40の回転位置とに基づいて各回転リール40の停止制御を行うための停止制御手段106と、すべての回転リール40の回転が停止した際における図柄の配列に基づいて複数の役のいずれかに入賞したか又は入賞なしかの判定を行うための入賞判定手段107とを備えるとともに、特別遊技を制御するための手段として、いずれかの役の入賞となる確率が一般遊技よりも高いレギュラーボーナスゲームを制御するためのレギュラーボーナス制御手段102、又はレギュラーボーナスゲームへの移行に係るレギュラーボーナス入賞となる確率が一般遊技よりも高いビッグボーナスゲームを制御するためのビッグボーナス制御手段103の少なくとも一方を備えていることを特徴とする。
【００５４】
つまり、本発明では、特別遊技を制御するための手段として、レギュラーボーナスゲーム（ＲＢゲーム）を制御するためのレギュラーボーナス制御手段102（ＲＢ制御手段102）、又はビッグボーナスゲーム（ＢＢゲーム）を制御するためのビッグボーナス制御手段103（ＢＢ制御手段103）の少なくとも一方が備えられる。つまり、特別遊技として、ＲＢゲーム、又はＢＢゲームの少なくとも一方が設けられる。また、少なくとも一方が設けられればよく、したがって、ＲＢゲームのみを設けてもよく、また、ＢＢゲームのみを設けてもよく、また、ＲＢゲーム及びＢＢゲームの双方を設けてもよい。
また、ＲＢゲームとは、いずれかの役の入賞となる確率が一般遊技よりも高い遊技をいう。また、ＲＢゲームへの移行に係る入賞を、レギュラーボーナス入賞（ＲＢ入賞）といい、また、ＲＢ入賞の引き当てに係る当選を、レギュラーボーナス当選（ＲＢ当選）という。
【００５５】
また、ＢＢゲームとは、ＲＢ入賞となる確率が一般遊技よりも高い遊技をいう。また、ＢＢゲームへの移行に係る入賞を、ビッグボーナス入賞（ＢＢ入賞）といい、また、ＢＢ入賞の引き当てに係る当選を、ビッグボーナス当選（ＢＢ当選）という。
このように、特別遊技として、ＲＢゲーム、又はＢＢゲームの少なくとも一方を設けることにより、これらのボーナスゲームが発生しやすい状況と、そうでない状況とを創出することが可能となる。
（請求項１３）
請求項１３記載の発明は、請求項１２記載の発明を限定したものであって、制御装置100は、役抽選手段104の抽選結果がレギュラーボーナス入賞の引き当てに係るレギュラーボーナス当選となった場合に数値が加算されるレギュラーボーナスカウンタ109と、役抽選手段104の抽選結果がビッグボーナス入賞と引き当てに係るビッグボーナス当選となった場合に数値が加算されるビッグボーナスカウンタ108と、レギュラーボーナスカウンタ109又はビッグボーナスカウンタ108が所定の数値を記憶している場合に、レギュラーボーナスゲームへの移行に係るレギュラーボーナス入賞、又はビッグボーナスゲームへの移行に係るビッグボーナス入賞を可能とするか否かの抽選を行うための放出抽選手段110とを備え、停止制御手段106は、放出抽選手段110の抽選結果がレギュラーボーナス入賞又はビッグボーナス入賞を可能とする旨となった場合に、レギュラーボーナス入賞又はビッグボーナス入賞を引き当て得るように各回転リールの停止制御を行い、遊技制御手段は、放出抽選手段110の抽選結果がレギュラーボーナス入賞又はビッグボーナス入賞を可能とする旨となる確率が通常モードの遊技よりも高い高確率モードの遊技を実行可能に形成されていることを特徴とする。
【００５６】
つまり、本発明では、役抽選手段104の抽選結果がＲＢ当選又はＢＢ当選となると、これらの当選がストックされる。そして、ＲＢ当選又はＢＢ当選がストックされているときに、これらの放出が抽選で決定されると、ＲＢ入賞又はＢＢ入賞が引き当て得るようになる。つまり、本発明は、いわゆる「ストック機」に係るものである。
このように、ＲＢ当選又はＢＢ当選を一旦ストックし、ストックしているＲＢ当選又はＢＢ当選の放出が抽選で決定されると、ＲＢ入賞又はＢＢ入賞を引き当て得るようにすることにより、意図的にボーナスを連続させることが容易となり、遊技が単調にならず、遊技者の興趣が高まる。
【００５７】
（請求項１４）
請求項１４記載の発明は、請求項１ないし１３記載の発明を限定したものであって、特別遊技の実行前に記憶されていた高確率モード用カウンタ又は高期待モード用カウンタ117の数値のうち、少なくともいずれか一方を、特別遊技の実行後に保持するカウンタメモリ持越手段126を備えたことを特徴とする。
ここで、カウンタメモリ持越手段126とは、特別遊技の実行前に記憶されていた高確率モード用カウンタ又は高期待モード用カウンタ117の数値のうち、少なくともいずれか一方を、特別遊技の実行後も保持するためのものである。
【００５８】
すなわち、例えば、高確率モード又は高期待モードの遊技が実行されているときに、特別遊技が実行されても、カウンタメモリ持越手段126は、高確率モード用カウンタ又は高期待モード用カウンタ117の少なくともいずれか一方の数値を、特別遊技の実行後にも記憶させ続ける。
そのため、特別遊技の実行後にも高確率モードあるいは高期待モードの遊技に移行し、再び特別遊技が実行される期待感が高まるのである。
【発明の効果】
【００５９】
（請求項１）
請求項１記載の発明によれば、所定時に数値の抽選を行う高確率モード抽選手段と、高確率モード抽選手段に対応して設けた高確率モード用カウンタとを備え、例えば、高確率モード用カウンタの数値が０のときには、通常モードとし、高確率モード用カウンタの数値が１以上のときには、特別遊技への移行確率が通常モードよりも高い高確率モードとすることから、特別遊技の発生しやすい状況と、そうでない状況とを創出可能となり、遊技が単調にならず、遊技者の興趣を高めることができる。
（請求項２）
また、請求項２記載の発明によれば、通常モードから高確率モードへ移行する際には、高期待モードの遊技を経由するようにし、高期待モードになると、高確率モードへの移行の期待感が高まり、ひいては特別遊技への移行の期待感が高まるとともに、高期待モードにならなければ、高確率モードへの移行の期待感が薄れるので、遊技が単調にならず、遊技者の興趣を高めることができる。
【００６０】
（請求項３）
また、請求項３記載の発明によれば、高期待モード抽選手段の抽選結果が、例えば１以上になる確率が比較的高い好機状態を設けたことから、好機状態になると、高期待モードへの移行、あるいは高期待モードの上乗せの期待感が高まり、ひいては高確率モード及び特別遊技への移行の期待感が高まるので、遊技が単調にならず、遊技者の興趣を高めることができる。
（請求項４）
また、請求項４記載の発明によれば、所定時に数値の抽選を行う好機状態抽選手段と、好機状態抽選手段に対応して設けた好機状態用カウンタとを備え、例えば、好機状態用カウンタの数値が０のときには、好機状態にはせず、好機状態用カウンタの数値が１以上のときには、好機状態とすることから、遊技が単調にならず、遊技者の興趣を高めることができる。
【００６１】
（請求項５）
また、請求項５記載の発明によれば、特別遊技の終了時に、好機状態抽選手段による数値の抽選を行うことから、特別遊技の連荘の期待感が高まり、遊技が単調にならず、遊技者の興趣を高めることができる。
（請求項６）
また、請求項６記載の発明によれば、通常モードから高確率モードへ移行させる場合には、通常モードから移行待ちモードへ移行させた後に、移行待ちモードから高確率モードへ移行させることから、移行待ちモードにおいて高確率モードへの移行を察知させるような種々の演出を行うことができるので、遊技者の期待感を高めることができる。
【００６２】
（請求項７）
また、請求項７記載の発明によれば、一般遊技中の遊技として、通常モードと、高期待モードとを設けるとともに、高確率モードとして、第１高確率モードと第２高確率モードとを設け、高期待モードを通常モードから第２高確率モードに移行する際に必ず経由するモードとすることで、第１高確率モード抽選手段と第２高確率モード抽選手段とで移行方法を異ならせているから、遊技が単調にならず、遊技者の興趣を高めることができる。
（請求項８）
また、請求項８記載の発明によれば、一般遊技中の遊技として、通常モードと、第１高確率モードと、第２高確率モードと、高期待モードと、移行待ちモードとを設け、また、これらのモードからは独立した一般遊技中の遊技として、通常状態と好機状態とを設け、第１高確率モード用カウンタ、第２高確率モード用カウンタ、移行待ちモード用カウンタ、及び高期待モード用カウンタの数値に基づいて、これら５つのモードの中からいずれか１のモードを択一的に選択して移行させるとともに、これらからは独立して、好機状態用カウンタの数値に基づいて、２つの状態の中からいずれか１つの状態を択一的に選択して移行させることから、遊技が単調にならず、遊技者の興趣を高めることができる。
【００６３】
（請求項９）
また、請求項９記載の発明によれば、一般遊技中の遊技において、いずれのモード及び状態が実行されているかを報知する報知手段を備えたから、遊技者がいずれのモード及び状態が実行されているかを察知しやすくなる。
（請求項１０）
また、請求項１０記載の発明によれば、役抽選手段の抽選結果に基づいて、高確率モード抽選手段が数値の抽選を行うことから、遊技が単調にならず、遊技者の興趣を高めることができる。
【００６４】
（請求項１１）
また、請求項１１記載の発明によれば、役抽選手段の抽選結果に基づいて、高期待モード抽選手段が数値の抽選を行うことから、遊技が単調にならず、遊技者の興趣を高めることができる。
（請求項１２）
また、請求項１２記載の発明によれば、特別遊技として、レギュラーボーナスゲーム、又はビッグボーナスゲームの少なくとも一方を実行することから、これらのボーナスゲームが発生しやすい状況と、そうでない状況とを創出可能となっている。
【００６５】
（請求項１３）
また、請求項１３記載の発明によれば、レギュラーボーナス当選又はビッグボーナス当選を一旦ストックし、ストックしているレギュラーボーナス当選又はビッグボーナス当選の放出が抽選で決定されると、レギュラーボーナス入賞又はビッグボーナス入賞を引き当て得るようにしたことから、意図的にボーナスを連続させることが容易となり、遊技が単調にならず、遊技者の興趣を高めることができる。
（請求項１４）
また、請求項１４記載の発明は、高確率モード用カウンタ又は高期待モード用カウンタの少なくともいずれか一方が記憶している数値を、特別遊技の終了後も保持するカウンタメモリ持越手段を備えたことから、再び高確率モード又は高期待モードの遊技が行われ、特別遊技が再び発生する可能性が高くなる。
【発明を実施するための最良の形態】
【００６６】
（図面の説明）
図１ないし図２０は、本発明の実施の形態を示すものである。
図１は、スロットマシン10のブロック図、図２は、スロットマシン10の外観正面図、図３は、図柄表示窓72、出目及び入賞ライン300を示す概念図、図４は、各回転リール40の図柄配列を示す概念図、図５は、停止テーブル105の概念図、図６は、放出抽選テーブルの概念図、図７は、第１高確率モード抽選テーブルの概念図、図８は、第２高確率モード抽選テーブル、図９は高期待モード抽選テーブル（第１高確率モード又は第２高確率モードのとき用）の概念図、図１０は、高期待モード抽選テーブル（第１高確率モードでも第２高確率モードでもなく、かつ、好機状態のとき用）の概念図、図１１は、高期待モード抽選テーブル（第１高確率モードでも第２高確率モードでもなく、かつ、通常状態のとき用）の概念図、図１２は、移行待ちモード抽選テーブルの概念図、図１３は、好機状態抽選テーブルの概念図、図１４ないし図２０は、スロットマシン10の動作の概略を示すフローチャートである。
【００６７】
（スロットマシン10）
図２に示すように、本実施の形態に係るスロットマシン10は、前面に開口部を有する箱型の筐体70を備えている。また、筐体70の前面には、開口部を塞ぐ前扉71を備えている。また、筐体70の内部には、３個の回転リール40を横並びに設けたリールユニット30を備えている。また、３個の回転リール40のうち、左側に設けられているのが左リール41であり、また、中央に設けられているのが中リール42であり、また、右側に設けられているのが右リール43である。また、各回転リール40の周囲には、複数種類の図柄が所定の配列で合計２１個付されている。また、前扉71のほぼ中央には、各回転リール40の周囲に付されている２１個の図柄のうちの３個を表示するための図柄表示窓72が設けられている。
【００６８】
また、図柄表示窓72は、各回転リール40の前方に設けられており、３個すべての回転リール40の回転が停止した際には、図３に示すように、縦３列横３行に配列した合計９個の図柄を表示可能に形成されている。
具体的には、左リール41の周囲には合計２１個の図柄が付されているが、左リール41の回転が停止した際には、２１個の図柄のうちの３個が図柄表示窓72に表示される。すなわち、左リール41の回転が停止すると、図柄表示窓72の左側部分には、３個の図柄が縦並びに表示される。中リール42及び右リール43についても同様である。これにより、３個すべての回転リール40の回転が停止すると、図柄表示窓72には、縦３列横３行に配列した合計９個の図柄が表示される。また、図柄表示窓72に表示される縦３列横３行の図柄配列は、「出目」などと呼ばれる。
【００６９】
また、本実施の形態では、３個の図柄が図柄表示窓72に対して適正な位置に表示されるときの各回転リール40の停止位置を、「適正停止位置」という。
例えば、図３に示すように、３個の図柄が図柄表示窓72に対して適正な位置に表示されるときの各回転リール40の停止位置が、「適正停止位置」である。
すなわち、各回転リール40が「適正停止位置」で停止すると、図柄表示窓72には各回転リール40毎に３個の図柄が正しく表示されることとなる。
また、本実施の形態では、図３に示すように、左リール41の回転がいずれかの適正停止位置で停止した際に図柄表示窓72に表示される３個の図柄を上から順にそれぞれ「左リール上図柄201」「左リール中図柄202」「左リール下図柄203」とし、また、中リール42の回転がいずれかの適正停止位置で停止した際に図柄表示窓72に表示される３個の図柄を上から順にそれぞれ「中リール上図柄204」「中リール中図柄205」「中リール下図柄206」とし、また、右リール43の回転がいずれかの適正停止位置で停止した際に図柄表示窓72に表示される３個の図柄を上から順にそれぞれ「右リール上図柄207」「右リール中図柄208」「右リール下図柄209」としている。
【００７０】
また、本実施の形態では、図３に示すように、第１から第５までの５本の入賞ライン300を設けている。
左リール中図柄202と中リール中図柄205と右リール中図柄208とを通るのが「第１入賞ライン301」である。
また、左リール上図柄201と中リール上図柄204と右リール上図柄207とを通るのが「第２入賞ライン302」である。
また、左リール下図柄203と中リール下図柄206と右リール下図柄209とを通るのが「第３入賞ライン303」である。
【００７１】
また、左リール下図柄203と中リール中図柄205と右リール上図柄207とを通るのが「第４入賞ライン304」である。
また、左リール上図柄201と中リール中図柄205と右リール下図柄209とを通るのが「第５入賞ライン305」である。
また、図柄表示窓72の下方には、クレジットメダルを投入するためのベットスイッチ74や、クレジットメダルを払い出すための精算スイッチ75や、各回転リール40の回転を開始させるためのスタートスイッチ50や、各回転リール40の回転を停止させるためのストップスイッチ60などが設けられている。
【００７２】
また、図柄表示窓72の上方には、横長の液晶ディスプレイ79が設けられている。
また、前扉71の上部には、演出用ランプ77が設けられている。
また、前扉71の下部には、メダルを払い出すための払出口80が設けられ、また、払出口80の下方には、払出口80から払い出されたメダルを受け止めて貯留するための受け皿90が設けられている。
また、筐体70の内部には、スロットマシン10を制御するための制御装置100や、メダルを払い出すためのホッパーユニット76などが備えられている。
（投入スイッチ73）
投入スイッチ73は、投入口から投入されたメダルを検知するためのものであって、筐体70の内部に設けられている。
【００７３】
（ベットスイッチ74）
ベットスイッチ74は、クレジットされているメダルの枚数を減じてメダルの投入に代えるためのものであって、図２に示すように、図柄表示窓72の左斜め下方に設けられている。
（精算スイッチ75）
精算スイッチ75は、クレジットされているメダルを払い出すためのものであって、図２に示すように、図柄表示窓72の右斜め下方に設けられている。
（スタートスイッチ50）
スタートスイッチ50は、各回転リール40の回転を開始させるためのものであって、図２に示すように、図柄表示窓72の左斜め下方に設けられている。そして、このスタートスイッチ50を操作すると、３個すべての回転リール40の回転が開始する。
【００７４】
（ストップスイッチ60）
ストップスイッチ60は、各回転リール40の回転を停止させるためのものであって、各回転リール40にそれぞれ対応して設けられている。
具体的には、図２に示すように、図柄表示窓72の下方には、３個のストップスイッチ60が横並びに設けられている。そして、左側のストップスイッチ60を操作すると、左リール41の回転が停止し、中央のストップスイッチ60を操作すると、中リール42の回転が停止し、右側のストップスイッチ60を操作すると、右リール43の回転が停止する。
（リールユニット30）
リールユニット30は、フレームと、このフレームに横並びに固定した３個のステッピングモータと、各ステッピングモータの出力軸に固定した３個の回転リール40とを備えている。
【００７５】
また、各回転リール40の周囲には、図３及び図４に示すように、「７」「ＢＡＲ」「ベル」「スイカ」「チェリー」「Ｒ」などの複数種類の図柄が所定の配列で合計２１個付されている。
また、本実施の形態では、「７」の図柄は、ビッグボーナス入賞（ＢＢ入賞）に対応した図柄とされ、また、「ＢＡＲ」の図柄は、レギュラーボーナス入賞（ＲＢ入賞）に対応した図柄とされ、また、「ベル」の図柄は、ベル入賞に対応した図柄とされ、また、「スイカ」の図柄は、スイカ入賞に対応した図柄とされ、また、「チェリー」の図柄は、チェリー入賞に対応した図柄とされ、また、「Ｒ」の図柄は、リプレイ入賞に対応した図柄とされている。
【００７６】
（ホッパーユニット76）
ホッパーユニット76は、遊技の結果に基づいて遊技者にメダルを払い出すためのものであって、筐体70の内部に設けられている。
（演出用ランプ77）
演出用ランプ77は、遊技者に当選又は入賞などを知らせるためのものであって、図２に示すように、前扉71の上方に設けられている。
また、本実施の形態では、演出用ランプ77は、報知手段125による報知を行うための装置としても用いられている。
【００７７】
（スピーカ78）
スピーカ78は、遊技者に当選又は入賞などを知らせるためのものであって、図２に示すように、前扉71の下部に設けられている。
また、本実施の形態では、スピーカ78は、報知手段125による報知を行うための装置としても用いられている。
（液晶ディスプレイ79）
液晶ディスプレイ79は、遊技者に当選又は入賞などを知らせるためのものであって、図２に示すように、図柄表示窓72の上方に設けられている。
【００７８】
また、本実施の形態では、液晶ディスプレイ79は、報知手段による報知を行うための装置としても用いられている。
（払出口80）
払出口80は、メダルを払い出すためのものであって、前扉71の下部に設けられている。
（受け皿90）
受け皿90は、払出口80から払い出されたメダルを受け止めて貯留するためのものであって、払出口80の下方に設けられている。
（制御装置100）
制御装置100は、スロットマシン10を制御するためのものである。
【００７９】
また、制御装置100は、ＣＰＵ、ＲＡＭ、ＲＯＭ、及びＩ／Ｏなどを備えている。
また、制御装置100の入力手段としては、図１に示すように、投入スイッチ73、ベットスイッチ74、精算スイッチ75、スタートスイッチ50、及びストップスイッチ60などが接続されている。
また、制御装置100の出力手段としては、図１に示すように、リールユニット30、ホッパーユニット76、演出用ランプ77、スピーカ78、及び液晶ディスプレイ79などが接続されている。
また、本実施の形態では、制御装置100は、一般遊技と、特別遊技とを実行可能に形成され、また、特別遊技として、レギュラーボーナスゲーム（ＲＢゲーム）と、ビッグボーナスゲーム（ＢＢゲーム）とを実行可能に形成されている。
【００８０】
また、本実施の形態では、一般遊技とは、一般的な遊技をいい、また、特別遊技とは、遊技者にとって一般遊技よりも有利な遊技をいい、また、ＲＢゲームとは、いずれかの役の入賞となる確率が一般遊技よりも高い特定の遊技をいい、また、ＢＢゲームとは、ＲＢ入賞となる確率が一般遊技よりも高い特定の遊技をいう。
また、本実施の形態では、制御装置100は、一般遊技中に、通常モードの遊技と、高確率モードの遊技と、高期待モードの遊技と、移行待ちモードの遊技とを実行可能に形成されているとともに、高確率モードの遊技として、第１高確率モードの遊技と、第２高確率モードの遊技とを実行可能に形成されている。つまり、制御装置100は、一般遊技中のモードとして、通常モードと、高確率モードと、高期待モードと、移行待ちモードとを設けているとともに、高確率モードとして、第１高確率モードと、第２高確率モードとを設けている。そして、制御装置100は、通常モード、第１高確率モード、第２高確率モード、高期待モード、及び移行待ちモードの５つのモードの中からいずれか１つのモードを択一的に選択して実行するように形成されている。
【００８１】
また、本実施の形態では、通常モードとは、特別遊技への移行確率が一定のモードをいい、また、高確率モードとは、特別遊技への移行確率が通常モードよりも高いモードをいい、また、第２高確率モードとは、特別遊技への移行確率が通常モードよりも高いモードをいい、また、第１高確率モードとは、特別遊技への移行確率が第２高確率モードよりも高いモードをいい、また、高期待モードとは、通常モードから第２高確率モードに移行する前に必ず経由されるモードであって特別遊技への移行確率が通常モードと等しいモードをいい、また、移行待ちモードとは、通常モードから第２高確率モードへ移行する前に移行するモードであって特別遊技への移行確率が通常モードと等しいモードをいう。
【００８２】
また、本実施の形態では、制御装置100は、これらのモードの遊技とは独立して、通常状態の遊技と、好機状態の遊技とを実行可能に形成されている。つまり、制御装置100は、一般遊技中の状態として、通常状態と好機状態とを設けている。そして、制御装置100は、通常状態、好機状態の２つの状態の中からいずれか１つの状態を択一的に選択して実行するように形成されている。
また、本実施の形態では、通常状態とは、高期待モードへの移行確率が一定の状態をいい、また、好機状態とは、高期待モードへの移行確率が通常状態よりも高い状態をいう。
また、本実施の形態では、制御装置100は、５つのモードと、２つの状態とを、それぞれ独立して移行させる。つまり、制御装置100は、第１高確率モードでありながら好機状態の遊技や、移行待ちモードでありながら通常状態の遊技など、５つのモードと２つの状態とが組み合わされた遊技を、実行可能に形成されている。
【００８３】
また、図１に示すように、本実施の形態では、制御装置100は、ＣＰＵがＲＯＭに記憶された所定のプログラムを実行することにより、一般遊技制御手段101、レギュラーボーナス制御手段102（ＲＢ制御手段102）、ビッグボーナス制御手段103（ＢＢ制御手段103）、役抽選手段104、停止制御手段106、入賞判定手段107、放出抽選手段110、第１高確率モード抽選手段111、第２高確率モード抽選手段112、高期待モード抽選手段113、移行待ちモード抽選手段114、及び高確率モード制御手段119、好機状態抽選手段120、好機状態制御手段122、ゲタ数抽選手段123、報知手段125、カウンタメモリ持越手段126として機能する。また、制御装置100のＲＡＭ上の特定の領域に、レギュラーボーナスカウンタ109（ＲＢカウンタ109）、ビッグボーナスカウンタ108（ＢＢカウンタ108）、第１高確率モード用カウンタ115、第２高確率モード用カウンタ116、高期待モード用カウンタ117、移行待ちモード用カウンタ118、好機状態用カウンタ121、ゲタ数カウンタ124が形成されている。そして、制御装置100は、これらの手段及びカウンタを備えることにより、一般遊技と、特別遊技とを実行可能に形成され、また、一般遊技中に、通常モードの遊技と、高確率モードの遊技と、高期待モードの遊技と、移行待ちモードの遊技とを実行可能とされ、また、一般遊技中に通常状態の遊技と、好機状態の遊技とを実行可能とされている。以下、制御装置100が備える各手段について詳述する。
【００８４】
（一般遊技制御手段101）
一般遊技とは、一般的な遊技をいう。また、一般遊技制御手段101は、一般遊技を制御するためのものである。
以下、本実施の形態における一般遊技について説明する。
メダルを投入すると、メダルの投入枚数に応じた本数の入賞ライン300が有効になる。具体的には、メダルの投入枚数は３枚までとされ、メダルの投入枚数が１枚のときには、第１入賞ライン301のみが有効になり、また、メダルの投入枚数が２枚のときには、第１から第３までの３本の入賞ライン300が有効になり、また、メダルの投入枚数が３枚のときには、第１から第５までの５本すべての入賞ライン300が有効になる。また、メダルの投入には、投入口からのメダルの投入と、ベットスイッチ74の操作によるクレジットメダルの投入とがある。また、メダルの投入を条件に、スタートスイッチ50を操作すると、複数の役のいずれかに当選したか又はハズレかの抽選（役抽選）が行われる。また、役抽選とほぼ同時に、３個すべての回転リール40の回転が開始する。その後に、３個のストップスイッチ60のうちの１個を操作すると、当該ストップスイッチ60に対応した回転リール40の回転が停止する。そして、３個すべてのストップスイッチ60の操作を終えると、３個すべての回転リール40の回転が停止する。このとき、いずれかの有効な入賞ライン300上に同一種類の図柄が３個揃うと、当該図柄に対応した役の入賞となり、入賞態様に応じた枚数のメダルが払い出される。また、メダルの払い出しには、払出口80からのメダルの払い出しと、クレジットによるメダルの払い出しとがある。また、メダルの払い出しに代えて、あるいはメダルの払い出しとともに、遊技者に対して所定の利益が付与されることもある。
【００８５】
また、入賞には、ＢＢゲームへの移行に係るビッグボーナス入賞（ＢＢ入賞）と、ＲＢゲームへの移行に係るレギュラーボーナス入賞（ＲＢ入賞）と、所定枚数（例えば１２枚）のメダルの払い出しに係るベル入賞と、ベル入賞よりも少ない枚数（例えば８枚）のメダルの払い出しに係るスイカ入賞と、スイカ入賞よりも少ない枚数（例えば２枚又は４枚）のメダルの払い出しに係るチェリー入賞と、再遊技の実行に係るリプレイ入賞とがある。
また、役抽選の結果には、ＢＢ入賞の引き当てに係るビッグボーナス当選（ＢＢ当選）と、ＲＢ入賞の引き当てに係るレギュラーボーナス当選（ＲＢ当選）と、ベル入賞の引き当てに係るベル当選と、スイカ入賞の引き当てに係るスイカ当選と、チェリー入賞の引き当てに係るチェリー当選と、リプレイ入賞の引き当てに係るリプレイ当選と、ハズレとがある。
【００８６】
そして、「７」の図柄が有効な入賞ライン300上に３個揃うと、ＢＢ入賞となり、払い出しがある場合にはメダルが払い出され、その後に、ＢＢゲームへ移行する。
また、「ＢＡＲ」の図柄が有効な入賞ライン300上に３個揃うと、ＲＢ入賞となり、払い出しがある場合にはメダルが払い出され、その後に、ＲＢゲームへ移行する。
また、「ベル」の図柄が有効な入賞ライン300上に３個揃うと、ベル入賞となり、１２枚のメダルが払い出される。
また、「スイカ」の図柄が有効な入賞ライン300上に３個揃うと、スイカ入賞となり、８枚のメダルが払い出される。
【００８７】
また、左リール41に付されている「チェリー」の図柄が有効な入賞ライン300上に停止すると、中リール42及び右リール43に付されている図柄の停止位置にかかわらず、チェリー入賞となり、２枚のメダルが払い出される。なお、メダルの投入枚数が３枚であり、かつ、「チェリー」の図柄の停止位置が図柄表示窓72の上段又は下段であれば、４枚のメダルが払い出される。
また、「Ｒ」の図柄が有効な入賞ライン300上に３個揃うと、リプレイ入賞となり、新たにメダルを投入することなく、前回の遊技と同じ条件で再度遊技を行うことができる。つまり、再遊技を実行することができる。
【００８８】
また、いずれの図柄についても有効な入賞ライン300上に３個揃わず、かつ、左リール41に付されている「チェリー」の図柄が有効な入賞ライン300上に停止しないと、入賞なしとなる。
（レギュラーボーナス制御手段102／ＲＢ制御手段102）
ＲＢゲームとは、いずれかの役の入賞となる確率が一般遊技よりも高い遊技をいう。また、ＲＢ制御手段102は、ＲＢゲームを制御するためのものである。
以下、本実施の形態におけるＲＢゲームについて説明する。
役抽選手段104の抽選結果がＲＢ当選になると、ＲＢカウンタ109の数値が１つ加算される。また、ＲＢカウンタ109の数値が１以上のときには、放出抽選手段110により、ＢＢ入賞又はＲＢ入賞を可能とするか否かの抽選（放出抽選）が行われる。そして、放出抽選の結果がＲＢ入賞を可能とする旨となると、停止制御手段106により、ＲＢ入賞を引き当て得るように、各回転リール40の停止制御が行われる。このとき、「ＢＡＲ」の図柄が有効な入賞ライン300上に３個揃い得るようになるとともに、「ＢＡＲ」以外の図柄については、有効な入賞ライン300上に３個揃わないようになる。そして、３個すべての回転リール40の回転を停止させたときに、「ＢＡＲ」の図柄が有効な入賞ライン300上に３個揃うと、ＲＢ入賞となり、ＲＢカウンタ109の数値が１つ減算されるとともに、払い出しがある場合には所定枚数（例えば１５枚）のメダルが払い出され、その後に、ＲＢゲームへ移行する。
【００８９】
また、ＲＢゲーム中は、メダルが１枚投入となり、また、所定の図柄（例えば「Ｒ」の図柄）が第１入賞ライン301上に３個揃うと入賞となるＪＡＣゲームが行われる。また、ＪＡＣゲームで入賞すると、所定枚数（例えば１５枚）のメダルが払い出される。
また、ＲＢゲーム中は、ＪＡＣゲームを最大１２回行うことができ、そのうち、最大８回の入賞が可能である。すなわち、ＲＢゲーム中に、ＪＡＣゲームが１２回行われるか、あるいは入賞が８回あると、ＲＢゲームは終了する。
（ビッグボーナス制御手段103／ＢＢ制御手段103）
ＢＢゲームとは、ＲＢ入賞となる確率が一般遊技よりも高い遊技をいう。また、ＢＢ制御手段103は、ＢＢゲームを制御するためのものである。
【００９０】
以下、本実施の形態におけるＢＢゲームについて説明する。
役抽選手段104の抽選結果がＢＢ当選となると、ＢＢカウンタ108の数値が１つ加算される。また、ＢＢカウンタ108の数値が１以上のときには、放出抽選手段110により、ＢＢ入賞を可能とするか否かの抽選（放出抽選）が行われる。そして、放出抽選の結果がＢＢ入賞を可能とする旨となると、停止制御手段106により、ＢＢ入賞を引き当て得るように、各回転リール40の停止制御が行われる。このとき、「７」の図柄が有効な入賞ライン300上に３個揃い得るようになるとともに、「７」以外の図柄については、有効な入賞ライン300上に３個揃わないようになる。そして、３個すべての回転リール40の回転を停止させたときに、「７」の図柄が有効な入賞ライン300上に３個揃うと、ＢＢ入賞となり、ＢＢカウンタ108の数値が１つ減算されるとともに、払い出しがある場合には所定枚数（例えば１５枚）のメダルが払い出され、その後に、ＢＢゲームへ移行する。
【００９１】
また、ＢＢゲームへ移行すると、まず、「ＢＢ中一般遊技」が行われる。
「ＢＢ中一般遊技」では、一般遊技と同様に、最大３枚のメダルを投入することが可能であり、また、複数の役のいずれかに当選したか又はハズレかの抽選（役抽選）が毎回行われ、また、３個すべての回転リール40の回転が停止した際に、有効な入賞ライン300上に所定の図柄が所定の配列で揃うか否かによって、入賞か否かの判定が行われる。
また、「ＢＢ中一般遊技」では、ＲＢ入賞となる確率が一般遊技よりも高くなる。そして、「ＢＢ中一般遊技」では、「Ｒ」の図柄が有効な入賞ライン300上に３個揃うと、ＲＢ入賞となり、「ＢＢ中一般遊技」からＢＢゲーム中のＲＢゲームへ移行する。
【００９２】
ここで、ＢＢゲーム中のＲＢゲームを「ＢＢ中ＲＢゲーム」とする。
「ＢＢ中ＲＢゲーム」では、ＲＢゲームと同様に、メダルが１枚投入となり、また、所定の図柄（例えば「Ｒ」の図柄）が第１入賞ライン301上に３個揃うと入賞となるＪＡＣゲームが行われる。また、ＪＡＣゲームで入賞すると、所定枚数（例えば１５枚）のメダルが払い出される。
また、「ＢＢ中ＲＢゲーム」中は、ＪＡＣゲームを最大１２回行うことができ、そのうち、最大８回の入賞が可能である。すなわち、「ＢＢ中ＲＢゲーム」中に、ＪＡＣゲームが１２回行われるか、あるいは入賞が８回あると、「ＢＢ中ＲＢゲーム」は終了する。
【００９３】
また、ＢＢゲーム中に、「ＢＢ中ＲＢゲーム」への移行が３回行われるか、又は「ＢＢ中一般遊技」で合計３０回の遊技が行われると、ＢＢゲームは終了する。
具体的には、一般遊技からＢＢゲームへ移行すると、まず、１回目の「ＢＢ中一般遊技」が行われる。また、１回目の「ＢＢ中一般遊技」でＲＢ入賞となると、１回目の「ＢＢ中一般遊技」から１回目の「ＢＢ中ＲＢゲーム」へ移行する。そして、１回目の「ＢＢ中ＲＢゲーム」が終了すると、１回目の「ＢＢ中ＲＢゲーム」から２回目の「ＢＢ中一般遊技」へ移行する。また、２回目の「ＢＢ中一般遊技」でＲＢ入賞となると、２回目の「ＢＢ中一般遊技」から２回目の「ＢＢ中ＲＢゲーム」へ移行する。そして、２回目の「ＢＢ中ＲＢゲーム」が終了すると、２回目の「ＢＢ中ＲＢゲーム」から３回目の「ＢＢ中一般遊技」へ移行する。また、３回目の「ＢＢ中一般遊技」でＲＢ入賞となると、３回目の「ＢＢ中一般遊技」から３回目の「ＢＢ中ＲＢゲーム」へ移行する。そして、３回目の「ＢＢ中ＲＢゲーム」が終了すると、ＢＢゲームも同時に終了する。
【００９４】
また、１回目の「ＢＢ中一般遊技」で３０回の遊技が行われても、ＢＢゲームは終了する。
また、１回目及び２回目の「ＢＢ中一般遊技」で合計３０回の遊技が行われても、ＢＢゲームは終了する。
また、１回目、２回目及び３回目の「ＢＢ中一般遊技」で合計３０回の遊技が行われても、ＢＢゲームは終了する。
（役抽選手段104）
役抽選手段104は、複数の役のいずれかに当選したか又はハズレかの抽選（役抽選）を行うためのものである。
【００９５】
また、役抽選手段104は、図示しないが、乱数発生手段と、乱数抽出手段と、役抽選テーブルと、役抽選判定手段とを備えている。
また、乱数発生手段は、役抽選用の乱数を、所定の範囲内（例えば、１０進数で０〜１６３８３）で発生させるためのものである。
また、乱数発生手段は、例えば、発振回路と、この発振回路が発生させたクロック信号をカウントするカウンタ回路とによって構成することができる（いわゆるハード乱数）。
また、乱数発生手段は、例えば、平均採中法で乱数を発生させる手段や、あるいは素数の加算によって乱数を発生させる手段によって構成することもできる。また、これらの手段は、例えば、ＣＰＵに所定のプログラムを実行させることによって構成することができる（いわゆるソフト乱数）。
【００９６】
また、乱数抽出手段は、乱数発生手段が発生させた乱数を、所定の契機（例えば、スタートスイッチ50の操作）で抽出するためのものである。
なお、乱数発生手段は、カウンタ回路などによって構成されるため、乱数発生手段が発生させる数値は、厳密には乱数ではない。ただ、スタートスイッチ50が操作されるタイミングは、ランダムであると考えられるため、乱数抽出手段が抽出する数値は、実質的には乱数として取り扱うことができる。
また、役抽選テーブルは、乱数発生手段が発生させる範囲内の各乱数について、複数の役のいずれかに当選させるか又はハズレかをあらかじめ定めたものである。
【００９７】
また、役抽選テーブルは、乱数発生手段が発生させる範囲内の各乱数について、ＢＢ当選にするか、ＲＢ当選にするか、ベル当選にするか、スイカ当選にするか、チェリー当選にするか、リプレイ当選にするか、あるいはハズレにするかを、あらかじめ定めている。
また、本実施の形態では、役抽選テーブルとして、一般役抽選テーブルと、高リプレイ役抽選テーブルとを備えている。
また、一般役抽選テーブルは、リプレイ当選を一定の割合で定めており、また、高リプレイ役抽選テーブルは、リプレイ当選の割合を、一般役抽選テーブルよりも高く定めている。
【００９８】
また、高リプレイ役抽選テーブルは、リプレイ当選の割合を高めた分だけ、ハズレの割合を低く定めている。また、一般役抽選テーブルと高リプレイ役抽選テーブルとは、ＢＢ当選、ＲＢ当選、ベル当選、スイカ当選、及びチェリー当選については、同一の割合で定めている。
また、本実施の形態では、役抽選テーブルとして、ボーナス内部当たり中に用いられる内部当たり中役抽選テーブルを備えている。また、内部当たり中役抽選テーブルは、抽選結果として、ＢＢ入賞又はＲＢ入賞を可能にする特定当選と、ベル当選と、スイカ当選と、チェリー当選と、リプレイ当選とを、それぞれ所定の割合で定めている。
【００９９】
また、本実施の形態では、役抽選テーブルとして、ＲＢゲーム中に用いられるＲＢゲーム中役抽選テーブルを備えている。また、ＲＢゲーム中役抽選テーブルは、ＪＡＣ入賞を可能にするＪＡＣ当選と、ハズレとをそれぞれ所定の割合で定めている。
また、本実施の形態では、役抽選テーブルとして、ＢＢ中一般遊技中に用いられるＢＢ中一般遊技中役抽選テーブルを備えている。また、ＢＢ中一般遊技中役抽選テーブルは、抽選結果として、ＲＢ当選と、ベル当選と、スイカ当選と、チェリー当選と、ハズレとを、所定の割合で定めている。
また、役抽選判定手段は、乱数抽出手段が抽出した乱数と、役抽選テーブルとを照合して、抽選結果の判定を行うためのものである。
【０１００】
また、役抽選判定手段は、乱数抽出手段が抽出した乱数と、役抽選テーブルとを照合して、ＢＢ当選か、ＲＢ当選か、ベル当選か、スイカ当選か、チェリー当選か、リプレイ当選か、あるいはハズレかの判定を行う（ボーナス内部当たり中であれば、特定当選か、ベル当選か、スイカ当選か、チェリー当選か、あるいはリプレイ当選かの判定を行い、また、ＲＢゲーム中であれば、ＪＡＣ当選か、あるいはハズレかの判定を行い、ＢＢ中一般遊技中であれば、ＲＢ当選か、ベル当選か、スイカ当選か、チェリー当選か、ハズレかの判定を行う）。
（停止テーブル105）
停止テーブル105は、各回転リール40の停止位置を決定するためのものであって、各ストップスイッチ60が操作されたときの対応する回転リール40の回転位置に応じて、各回転リール40の滑りコマ数をあらかじめ定めたものである。
【０１０１】
また、「滑りコマ数」とは、ストップスイッチ60の操作から対応する回転リール40の回転がいずれかの適正停止位置で停止するまでの間に通過する適正停止位置の数をいう。
例えば、ストップスイッチ60の操作後における最初の適正停止位置で対応する回転リール40の回転が停止した場合、ストップスイッチ60の操作から対応する回転リール40の回転が停止するまでの間に通過した適正停止位置の数は「０」であるから、滑りコマ数は「０」である。
また、ストップスイッチ60の操作後における最初の適正停止位置を通過し、その次の適正停止位置で対応する回転リール40の回転が停止した場合、ストップスイッチ60の操作から対応する回転リール40の回転が停止するまでの間に通過した適正停止位置の数は「１」であるから、滑りコマ数は「１」である。
【０１０２】
また、本実施の形態では、役抽選手段104の抽選結果や、放出抽選手段110の抽選結果等に対応して、複数種類の停止テーブル105が備えられている。
また、本実施の形態では、各停止テーブル105は、０以上４以下の範囲内で、各回転リール40の滑りコマ数を定めている。
また、いずれかの役に対応した停止テーブル105は、その役に対応した図柄がいずれかの有効な入賞ライン300上に３個揃い得るように、かつ、その役以外の図柄についてはいずれの有効な入賞ライン300上にも３個揃わないように、各回転リール40の滑りコマ数を定めている。
【０１０３】
具体的には、例えば、「ＢＢ入賞」に対応した停止テーブル105は、「７」の図柄がいずれかの有効な入賞ライン300上に３個揃い得るように、かつ、「７」以外の図柄についてはいずれの有効な入賞ライン300上にも３個揃わないように、各回転リール40の滑りコマ数を定めている。これにより、「ＢＢ入賞」に対応した停止テーブル105は、ＢＢ入賞を引き当て得るようにするとともに、ＢＢ入賞以外の入賞を引き当て得ないようにしている。「ＲＢ入賞」「ベル入賞」「スイカ入賞」及び「リプレイ入賞」に対応した停止テーブル105についても同様である。
また、例えば、「チェリー入賞」に対応した停止テーブル105は、左リール41に付されている「チェリー」の図柄がいずれかの有効な入賞ライン300上に停止するように、かつ、「チェリー」以外の図柄についてはいずれの有効な入賞ライン300上にも３個揃わないように、各回転リール40の滑りコマ数を定めている。これにより、「チェリー入賞」に対応した停止テーブル105は、チェリー入賞を引き当て得るようにするとともに、チェリー入賞以外の入賞を引き当て得ないようにしている。
【０１０４】
また、「入賞なし」に対応した停止テーブル105は、いずれの有効な入賞ライン300上にも同一種類の図柄が３個揃わないように、かつ、左リール41に付されている「チェリー」の図柄がいずれの有効な入賞ライン300上にも停止しないように、各回転リール40の滑りコマ数を定めている。
（停止制御手段106）
停止制御手段106は、各回転リール40の停止制御を行うためのものである。
また、停止制御手段106は、役抽選手段104の抽選結果や、放出抽選手段110の抽選結果等と、各ストップスイッチ60が操作されたときの対応する回転リール40の回転位置とに基づいて、各回転リール40の停止制御を行う。
【０１０５】
また、各回転リール40の停止制御は、以下に示すようにして行われる。
まず、役抽選手段104の抽選結果や、放出抽選手段110の抽選結果等に基づいて、複数の停止テーブル105の中から一の停止テーブル105が選択される。
具体的には、例えば、役抽選手段104の抽選結果が「ベル当選」となった場合には、「ベル入賞」に対応した停止テーブル105が選択される。また、リプレイ当選高確率状態中に、役抽選手段104の抽選結果が「ＢＢ当選」となった場合には、「入賞なし」に対応した停止テーブル105が選択される。また、リプレイ当選高確率状態中に、役抽選手段104の抽選結果が「リプレイ当選」となった場合には、所定の確率で、「リプレイ入賞」に対応した停止テーブル105が選択され、所定の確率で、「入賞なし」に対応した停止テーブル105が選択される。また、放出抽選手段110の抽選結果が「ＢＢ入賞を可能とする旨」となった場合には、「ＢＢ入賞」に対応した停止テーブル105が選択される。また、ボーナス内部当たり中に、役抽選手段104の抽選結果が「特定当選」となった場合には、「ＢＢ入賞」に対応した停止テーブル105が選択される。
【０１０６】
次に、この選択された一の停止テーブル105と、各ストップスイッチ60が操作されたときの対応する回転リール40の回転位置とから、各回転リール40の滑りコマ数が決定される。
ここで、滑りコマ数が「０」と決定されると、ストップスイッチ60の操作後における最初の適正停止位置で、対応する回転リール40の回転が停止する。このとき、ストップスイッチ60の操作時に図柄表示窓72の上段の直前に位置していた図柄は、ストップスイッチ60の操作後ほとんど移動せずに、図柄表示窓72の上段に停止するように見える。
また、滑りコマ数が「１」と決定されると、ストップスイッチ60の操作後における最初の適正停止位置を通過し、その次の適正停止位置で、対応する回転リール40の回転が停止する。このとき、ストップスイッチ60の操作時に図柄表示窓72の上段の直前に位置していた図柄は、ストップスイッチ60の操作後に回転リール40の回転方向に１コマ滑るようにして移動して、図柄表示窓72の中段に停止するように見える。
【０１０７】
また、滑りコマ数が「２」と決定されると、ストップスイッチ60の操作後における最初の適正停止位置と、その次の適正停止位置とを通過し、３番目の適正停止位置で、対応する回転リール40の回転が停止する。このとき、ストップスイッチ60の操作時に図柄表示窓72の上段の直前に位置していた図柄は、ストップスイッチ60の操作後に回転リール40の回転方向に２コマ滑るようにして移動して、図柄表示窓72の下段に停止するように見える。
なお、上述したような回転リール40の停止制御は、停止テーブル105を用いた制御であることから、「テーブル制御」などと呼ばれる。
（入賞判定手段107）
入賞判定手段107は、すべての回転リール40の回転が停止した際における各入賞ライン300上の図柄配列に基づいて、複数の役のいずれかに入賞したか又は入賞なしかの判定を行うためのものである。
【０１０８】
また、入賞判定手段107は、すべての回転リール40の回転が停止した際に、いずれかの有効な入賞ライン300上に同一種類の図柄が３個揃うと、当該図柄に対応する役に入賞したと判定する。
具体的には、入賞判定手段107は、すべての回転リール40の回転が停止した際に、「７」の図柄がいずれかの有効な入賞ライン300上に３個揃うと、「ＢＢ入賞」と判定する。
また、入賞判定手段107は、すべての回転リール40の回転が停止した際に、「ＢＡＲ」の図柄がいずれかの有効な入賞ライン300上に３個揃うと、「ＲＢ入賞」と判定する。
また、入賞判定手段107は、すべての回転リール40の回転が停止した際に、「ベル」の図柄がいずれかの有効な入賞ライン300上に３個揃うと、「ベル入賞」と判定する。
【０１０９】
また、入賞判定手段107は、すべての回転リール40の回転が停止した際に、「スイカ」の図柄がいずれかの有効な入賞ライン300上に３個揃うと、「スイカ入賞」と判定する。
また、入賞判定手段107は、すべての回転リール40の回転が停止した際に、左リール41に付されている「チェリー」の図柄がいずれかの有効な入賞ライン300上に停止すると、中リール42及び右リール43に付されている図柄の停止位置にかかわらず、チェリー入賞と判定する。
また、入賞判定手段107は、すべての回転リール40の回転が停止した際に、「Ｒ」の図柄がいずれかの有効な入賞ライン300上に３個揃うと、「リプレイ入賞」と判定する。
【０１１０】
また、入賞判定手段107は、すべての回転リール40の回転が停止した際に、いずれの有効な入賞ライン300上にも同一種類の図柄が３個揃わず、かつ、左リール41に付されている「チェリー」の図柄がいずれの有効な入賞ライン300上にも停止しないと、「入賞なし」と判定する。
（レギュラーボーナスカウンタ109／ＲＢカウンタ109）
ＲＢカウンタ109は、役抽選手段104の抽選結果がＲＢ当選となると、数値が１つ加算され、入賞判定手段107により、ＲＢ入賞が引き当てられたと判定されると、数値が１つ減算されるカウンタである。
【０１１１】
具体的には、ＲＢカウンタ109は、図示しないが、ＲＢカウンタ用記憶手段と、ＲＢカウンタ用加算手段と、ＲＢカウンタ用減算手段とを備えている。
また、ＲＢカウンタ用加算手段は、役抽選手段104の抽選結果がＲＢ当選になると、ＲＢカウンタ用記憶手段が記憶している数値に１を加算する。
また、ＲＢカウンタ用減算手段は、放出抽選手段110の抽選結果がＲＢ入賞を可能とする旨となると、ＲＢカウンタ用記憶手段が記憶している数値から１を減算する。
そして、ＲＢカウンタ用記憶手段が記憶している数値が、ＲＢカウンタ109のカウント値となる。
【０１１２】
（ビッグボーナスカウンタ108／ＢＢカウンタ108）
ＢＢカウンタ108は、役抽選手段104の抽選結果がＢＢ当選となると、数値が１つ加算され、入賞判定手段107により、ＢＢ入賞が引き当てられたと判定されると、数値が１つ減算されるカウンタである。
具体的には、ＢＢカウンタ108は、図示しないが、ＢＢカウンタ用記憶手段と、ＢＢカウンタ用加算手段と、ＢＢカウンタ用減算手段とを備えている。
また、ＢＢカウンタ用加算手段は、役抽選手段104の抽選結果がＢＢ当選になると、ＢＢカウンタ用記憶手段が記憶している数値に１を加算する。
【０１１３】
また、ＢＢカウンタ用減算手段は、放出抽選手段110の抽選結果がＢＢ入賞を可能とする旨となると、ＢＢカウンタ用記憶手段が記憶している数値から１を減算する。
そして、ＢＢカウンタ用記憶手段が記憶している数値が、ＢＢカウンタ108のカウント値となる。
（放出抽選手段110）
放出抽選手段110は、ＢＢ入賞又はＲＢ入賞を可能とするか否かの抽選（放出抽選）を行うためのものである。
また、本実施の形態では、放出抽選手段110は、ＢＢカウンタ108又はＲＢカウンタ109の少なくとも一方の数値が１以上であることを条件に、一般遊技中に、遊技が行われる毎に、放出抽選を行う。
【０１１４】
また、本実施の形態では、放出抽選手段110は、ＢＢカウンタ108の数値が０であり、かつ、ＲＢカウンタ109の数値が０のときには、放出抽選は行わない。
また、本実施の形態では、放出抽選手段110は、図示しないが、放出抽選用乱数発生手段と、放出抽選用乱数抽出手段と、放出抽選テーブルと、放出抽選用判定手段と、放出役選択手段とを備えている。
また、放出抽選用乱数発生手段は、役抽選手段104が備える乱数発生手段と同様のものである。また、放出抽選用乱数発生手段は、役抽選手段104が備える乱数発生手段又はその他の乱数発生手段と共用することもできる。
【０１１５】
また、放出抽選用乱数抽出手段は、放出抽選用乱数発生手段が発生させた乱数を、所定の契機で抽出するためのものである。
また、放出抽選テーブルは、放出抽選用乱数発生手段が発生させる範囲内の各乱数について、ＢＢ入賞又はＲＢ入賞を可能とするか否かをあらかじめ定めたものである。
また、本実施の形態では、放出抽選テーブルとして、ＢＢ入賞又はＲＢ入賞を可能とする旨の決定確率が一定の通常放出抽選テーブルと、ＢＢ入賞又はＲＢ入賞を可能とする旨の決定確率が通常放出抽選テーブルよりも高い第２高確率放出抽選テーブルと、ＢＢ入賞又はＲＢ入賞を可能とする旨の決定確率が第２高確率放出抽選テーブルよりも高い第１高確率放出抽選テーブルとを備えている。
【０１１６】
また、本実施の形態では、通常放出抽選テーブルは、ＢＢ入賞又はＲＢ入賞を可能とする旨の決定確率を「４４／１６３８４」とし、また、第２高確率放出抽選テーブルは、ＢＢ入賞又はＲＢ入賞を可能とする旨の決定確率を「１４７５／１６３８４」とし、また、第１高確率放出抽選テーブルは、ＢＢ入賞又はＲＢ入賞を可能とする旨の決定確率を「１４７４６／１６３８４」としている。これらをまとめると、図６に示すようになる。
また、放出抽選用判定手段は、一般遊技中のモードに基づいて１の放出抽選テーブルを選択するとともに、放出抽選用乱数抽出手段が抽出した乱数と、選択した１の放出抽選テーブルとに基づいて、ＢＢ入賞又はＲＢ入賞を可能とするか否かの判定を行うためのものである。
【０１１７】
また、本実施の形態では、放出抽選用判定手段は、通常モード、高期待モード、及び移行待ちモードのときには、通常放出抽選テーブルを選択し、また、第２高確率モードのときには、第２高確率放出抽選テーブルを選択し、また、第１高確率モードのときには、第１高確率放出抽選テーブルを選択する。そして、放出抽選用判定手段は、通常モード、高期待モード、及び移行待ちモードのときには、放出抽選用乱数抽出手段が抽出した乱数と、通常放出抽選テーブルとに基づいて、ＢＢ入賞又はＲＢ入賞を可能とするか否かの判定を行い、また、第２高確率モードのときには、放出抽選用乱数抽出手段が抽出した乱数と、第２高確率放出抽選テーブルとに基づいて、ＢＢ入賞又はＲＢ入賞を可能とするか否かの判定を行い、また、第１高確率モードのときには、放出抽選用乱数抽出手段が抽出した乱数と、第１高確率放出抽選テーブルとに基づいて、ＢＢ入賞又はＲＢ入賞を可能とするか否かの判定を行う。
【０１１８】
また、放出役選択手段は、放出抽選用判定手段の判定結果がＢＢ入賞又はＲＢ入賞を可能とする旨となったときに、ＢＢ入賞又はＲＢ入賞のいずれを入賞可能とするかの選択を行うためのものである。
また、本実施の形態では、放出役選択手段は、ＢＢカウンタ108の数値が１以上であり、かつ、ＲＢカウンタ109の数値も１以上のときには、所定の確率で、ＢＢ入賞を可能とする旨を選択し、所定の確率で、ＲＢ入賞を可能とする旨を選択する。また、放出役選択手段は、ＢＢカウンタ108の数値が１以上であり、かつ、ＲＢカウンタ109の数値が０のときには、１００％の確率で、ＢＢ入賞を可能とする旨を選択する。また、放出役選択手段は、ＢＢカウンタ108の数値が０であり、かつ、ＲＢカウンタ109の数値が１以上のときには、１００％の確率で、ＲＢ入賞を可能とする旨を選択する。
【０１１９】
またここで、本実施の形態では、放出抽選手段110の抽選結果がＢＢ入賞又はＲＢ入賞を可能とする旨となると、ＢＢ入賞又はＲＢ入賞を引き当て得るようになり、ひいてはＢＢゲーム又はＲＢゲームへ移行し得るようになる。また、上述したように、本実施の形態では、放出抽選用判定手段は、通常モード、高期待モード、及び移行待ちモードのときには、通常放出抽選テーブルを選択して、ＢＢ入賞又はＲＢ入賞を可能とするか否かの判定を行い、また、第２高確率モードのときには、第２高確率放出抽選テーブルを選択して、ＢＢ入賞又はＲＢ入賞を可能とするか否かの判定を行い、また、第１高確率モードのときには、第１高確率放出抽選テーブルを選択して、ＢＢ入賞又はＲＢ入賞を可能とするか否かの判定を行う。このため、本実施の形態では、通常モードのときには、特別遊技への移行確率が一定となり、また、第２高確率モードのときには、特別遊技への移行確率が通常モードよりも高くなり、また、第１高確率モードのときには、特別遊技への移行確率が第２高確率モードよりも高くなる。また、本実施の形態では、高期待モード、及び移行待ちモードのときには、特別遊技への移行確率が通常モードと等しくなる。
【０１２０】
（第１高確率モード抽選手段111）
第１高確率モード抽選手段111は、所定時に数値の抽選を行うためのものである。
また、本実施の形態では、第１高確率モード抽選手段111は、一般遊技中に、遊技が行われる毎に、数値の抽選を行う。つまり、本実施の形態では、所定時は、「一般遊技中に遊技が行われる毎」である。
また、本実施の形態では、第１高確率モード抽選手段111は、「０、１、３、４、５、６、８、又は１０」の範囲内で、数値の抽選を行う。つまり、本実施の形態では、第１高確率モード抽選手段111の抽選結果の下限は、「０」であり、また、上限は、「１０」である。
【０１２１】
また、本実施の形態では、第１高確率モード抽選手段111は、図示しないが、第１高確率モード抽選用乱数発生手段と、第１高確率モード抽選用乱数抽出手段と、第１高確率モード抽選テーブルと、第１高確率モード抽選用判定手段とを備えている。
また、第１高確率モード抽選用乱数発生手段は、役抽選手段104が備える乱数発生手段と同様のものである。また、第１高確率モード抽選用乱数発生手段は、役抽選手段104が備える乱数発生手段又はその他の乱数発生手段と共用することもできる。
また、第１高確率モード抽選用乱数抽出手段は、第１高確率モード抽選用乱数発生手段が発生させた乱数を、所定の契機で抽出するためのものである。
【０１２２】
また、第１高確率モード抽選テーブルは、第１高確率モード抽選用乱数発生手段が発生させる範囲内の各乱数について、数値をいくつにするかをあらかじめ定めたものである。
また、本実施の形態では、第１高確率モード抽選テーブルは、役抽選手段104の抽選結果毎に備えられている。
また、本実施の形態では、図７に示すように、役抽選手段104の抽選結果がＢＢ当選又はＲＢ当選となったとき用の第１高確率モード抽選テーブルは、数値「０」の決定確率を「０／１２８」とし、また、数値「１」の決定確率を「０／１２８」とし、また、数値「３」の決定確率を「０／１２８」とし、また、数値「４」の決定確率を「０／１２８」とし、また、数値「５」の決定確率を「４８／１２８」とし、また、数値「６」の決定確率を「４８／１２８」とし、また、数値「８」の決定確率を「２４／１２８」とし、また、数値「１０」の決定確率を「８／１２８」としている。同様に、役抽選手段104の抽選結果がベル当選となったとき用、スイカ当選となったとき用、チェリー当選となったとき用、リプレイ当選となったとき用の第１高確率モード抽選テーブルを、図７に示すような決定確率で、それぞれ定めている。
【０１２３】
また、第１高確率モード抽選用判定手段は、役抽選手段104の抽選結果に基づいて１の第１高確率モード抽選テーブルを選択するとともに、第１高確率モード用乱数抽出手段が抽出した乱数と、選択した１の第１高確率モード抽選テーブルとに基づいて、数値の判定を行うためのものである。
（第２高確率モード抽選手段112）
第２高確率モード抽選手段112は、所定時に数値の抽選を行うためのものである。
また、本実施の形態では、第２高確率モード抽選手段112は、移行待ちモード用カウンタ118の数値が、１から０になったときに数値の抽選を行う。つまり、本実施の形態では、所定時は「移行待ちモード用カウンタ118の記憶している数値が１から０になるとき」である。
【０１２４】
また、本実施の形態では、第２高確率モード抽選手段112は、「１０、１１、１２、１３、１４、又は１５」の範囲内で、数値の抽選を行う。つまり、本実施の形態では、第２高確率モード抽選手段の下限は、「１０」であり、上限は、「１５」である。
また、本実施の形態では、第２高確率モード抽選手段112は、図示しないが、第２高確率モード抽選用乱数発生手段と、第２高確率モード抽選用乱数抽出手段と、第２高確率モード抽選テーブルと、第２高確率モード抽選用判定手段とを備えている。
また、第２高確率モード抽選用乱数発生手段は、役抽選手段104が備える乱数発生手段と同様のものである。また、第２高確率モード抽選用乱数発生手段は、役抽選手段104が備える乱数発生手段又はその他の乱数発生手段と共用することもできる。
【０１２５】
また、第２高確率モード抽選用乱数抽出手段は、第２高確率モード抽選用乱数発生手段が発生させた乱数を、所定の契機で抽出するためのものである。
また、第２高確率モード抽選テーブルは、第２高確率モード抽選用乱数発生手段が発生させる範囲内の各乱数について、数値をいくつにするかをあらかじめ定めたものである。
また、本実施の形態では、第２高確率モード抽選テーブルは、図８に示すように、数値「１０」の決定確率を「２０／１２８」とし、また、数値「１１」の決定確率を「２０／１２８」とし、また、数値「１２」の決定確率を「２４／１２８」とし、また、数値「１３」の決定確率を「２４／１２８」とし、また、数値「１４」の決定確率を「２４／１２８」とし、また、数値「１５」の決定確率を「１６／１２８」としている。
【０１２６】
また、第２高確率モード抽選用判定手段は、第２高確率モード用乱数抽出手段が抽出した乱数と、第２高確率モード抽選テーブルとに基づいて、数値の判定を行うためのものである。
（高期待モード抽選手段113）
高期待モード抽選手段113は、所定時に数値の抽選を行うためのものである。
また、本実施の形態では、高期待モード抽選手段113は、第１高確率モード抽選手段111の抽選結果が所定値となった場合に数値の抽選を行う。つまり、本実施の形態では、所定時は、「第１高確率モード抽選手段111の抽選結果が所定値になった場合」である。
【０１２７】
また、本実施の形態では、高期待モード抽選手段113は、第１高確率モード抽選手段111の抽選結果が「０」になったときに、数値の抽選を行う。つまり、本実施の形態では、所定値は、「０」である。
また、本実施の形態では、高期待モード抽選手段113は、「０、１０、２０、３０、５０、１００、１５０、又は２５５」の範囲内で、数値の抽選を行う。つまり、本実施の形態では、高期待モード抽選手段113の抽選結果の下限は、「０」であり、また、上限は、「２５５」である。
また、本実施の形態では、高期待モード抽選手段113は、図示しないが、高期待モード抽選用乱数発生手段と、高期待モード抽選用乱数抽出手段と、高期待モード抽選テーブルと、高期待モード抽選用判定手段とを備えている。
【０１２８】
また、高期待モード抽選用乱数発生手段は、役抽選手段104が備える乱数発生手段と同様のものである。また、高期待モード抽選用乱数発生手段は、役抽選手段104が備える乱数発生手段又はその他の乱数発生手段と共用することもできる。
また、高期待モード抽選用乱数抽出手段は、高期待モード抽選用乱数発生手段が発生させた乱数を、所定の契機で抽出するためのものである。
また、高期待モード抽選テーブルは、高期待モード抽選用乱数発生手段が発生させる範囲内の各乱数について、数値をいくつにするかをあらかじめ定めたものである。
また、本実施の形態では、第１高確率モード又は第２高確率モードのとき用の高期待モード抽選テーブルと、第１高確率モードでも第２高確率モードでもなく、かつ、好機状態のとき用の高期待モード抽選テーブルと、第１高確率モードでも第２高確率モードでもなく、かつ、通常状態のとき用の高期待モード抽選テーブルとが備えられている。
【０１２９】
また、本実施の形態では、第１高確率モード又は第２高確率モードのとき用の高期待モード抽選テーブルも、第１高確率モードでも第２高確率モードでもなく、かつ、好機状態のとき用の高期待モード抽選テーブルも、第１高確率モードでも第２高確率モードでもなく、かつ、通常状態のとき用の高期待モード抽選テーブルも、役抽選手段104の抽選結果毎に備えられている。
また、本実施の形態では、図９に示すように、第１高確率モード又は第２高確率モードのとき、かつ、役抽選手段104の抽選結果がＢＢ当選又はＲＢ当選となったとき用の高期待モード抽選テーブルは、数値「０」の決定確率を「１２８／１２８」とし、また、数値「１０」の決定確率を「０／１２８」とし、また、数値「２０」の決定確率を「０／１２８」とし、また、数値「３０」の決定確率を「０／１２８」とし、また、数値「５０」の決定確率を「０／１２８」とし、また、数値「１００」の決定確率を「０／１２８」とし、また、数値「１５０」の決定確率を「０／１２８」とし、また、数値「２５５」の決定確率を「０／１２８」としている。
【０１３０】
また、本実施の形態では、同様に、第１高確率モード又は第２高確率モードのときで、役抽選手段104の抽選結果がベル当選となったとき用、スイカ当選となったとき用、チェリー当選となったとき用、リプレイ当選となったとき用の高期待モード抽選テーブルを、図９に示すような決定確率で、それぞれ定めている。
また、本実施の形態では、図１０に示すように、第１高確率モードでも第２高確率モードでもなく、かつ、好機状態のとき、かつ、役抽選手段104の抽選結果がＢＢ当選又はＲＢ当選となったとき用の高期待モード抽選テーブルは、数値「０」の決定確率を「１２８／１２８」とし、また、数値「１０」の決定確率を「０／１２８」とし、また、数値「２０」の決定確率を「０／１２８」とし、また、数値「３０」の決定確率を「０／１２８」とし、また、数値「５０」の決定確率を「０／１２８」とし、また、数値「１００」の決定確率を「０／１２８」とし、また、数値「１５０」の決定確率を「０／１２８」とし、また、数値「２５５」の決定確率を「０／１２８」としている。
【０１３１】
また、本実施の形態では、第１高確率モードでも第２高確率モードでもなく、かつ、好機状態のときで、役抽選手段104の抽選結果がベル当選となったとき用、スイカ当選となったとき用、チェリー当選となったとき用、リプレイ当選となったとき用の高期待モード抽選テーブルを、図１０に示すような決定確率で、それぞれ定めている。
また、本実施の形態では、図１１に示すように、第１高確率モードでも第２高確率モードでもなく、かつ、通常状態のとき、かつ、役抽選手段104の抽選結果がＢＢ当選又はＲＢ当選となったとき用の高期待モード抽選テーブルは、数値「０」の決定確率を「１２８／１２８」とし、また、数値「１０」の決定確率を「０／１２８」とし、また、数値「２０」の決定確率を「０／１２８」とし、また、数値「３０」の決定確率を「０／１２８」とし、また、数値「５０」の決定確率を「０／１２８」とし、また、数値「１００」の決定確率を「０／１２８」とし、また、数値「１５０」の決定確率を「０／１２８」とし、また、数値「２５５」の決定確率を「０／１２８」としている。
【０１３２】
また、本実施の形態では、第１高確率モードでも第２高確率モードでもなく、かつ、通常状態のときで、役抽選手段104の抽選結果がベル当選となったとき用、スイカ当選となったとき用、チェリー当選となったとき用、リプレイ当選となったとき用の高期待モード抽選テーブルを、図１１に示すような決定確率で、それぞれ定めている。
また、高期待モード抽選用判定手段は、第１高確率モード又は第２高確率モードであるか否かと、好機状態であるか否かと、役抽選手段104の抽選結果とに基づいて、１の高期待モード抽選テーブルを選択するとともに、高期待モード用乱数抽出手段が抽出した乱数と、選択した１の高期待モード抽選テーブルとに基づいて、数値の判定を行うためのものである。
【０１３３】
つまり、本実施の形態では、高期待モード抽選手段113は、数値の決定確率が異なる複数の高期待モード抽選テーブルを備えるとともに、第１高確率モード又は第２高確率モードであるか否かと、好機状態であるか否かと、役抽選手段104の抽選結果とに基づいて、複数の高期待モード抽選テーブルの中から１の高期待モード抽選テーブルを選択して、数値の抽選を行う。
（移行待ちモード抽選手段114）
移行待ちモード抽選手段114は、所定時に数値の抽選を行うためのものである。
また、本実施の形態では、移行待ちモード抽選手段114は、高期待モードの遊技が行われる毎に、数値の抽選を行う。つまり、本実施の形態では、所定時は、「高期待モードの遊技が行われる毎」である。
【０１３４】
また、本実施の形態では、移行待ちモード抽選手段114は、「０、１０、２０、２５、３０、３５、又は４０」の範囲内で、数値の抽選を行う。つまり、本実施の形態では、移行待ちモード抽選手段114の抽選結果の下限は、「０」であり、また、上限は、「４０」である。
また、本実施の形態では、移行待ちモード抽選手段114は、図示しないが、移行待ちモード抽選用乱数発生手段と、移行待ちモード抽選用乱数抽出手段と、移行待ちモード抽選テーブルと、移行待ちモード抽選用判定手段とを備えている。
また、移行待ちモード抽選用乱数発生手段は、役抽選手段104が備える乱数発生手段と同様のものである。また、移行待ちモード抽選用乱数発生手段は、役抽選手段104が備える乱数発生手段又はその他の乱数発生手段と共用することもできる。
【０１３５】
また、移行待ちモード抽選用乱数抽出手段は、移行待ちモード抽選用乱数発生手段が発生させた乱数を、所定の契機で抽出するためのものである。
また、移行待ちモード抽選テーブルは、移行待ちモード抽選用乱数発生手段が発生させる範囲内の各乱数について、数値をいくつにするかをあらかじめ定めたものである。
また、本実施の形態では、図１２に示すように、移行待ちモード抽選テーブルは、数値「０」の決定確率を「１１６／１２８」とし、また、数値「１０」の決定確率を「６／１２８」とし、また、数値「２０」の決定確率を「２／１２８」とし、また、数値「２５」の決定確率を「１／１２８」とし、また、数値「３０」の決定確率を「１／１２８」とし、また、数値「３５」の決定確率を「１／１２８」とし、また、数値「４０」の決定確率を「１／１２８」としている。
【０１３６】
また、移行待ちモード抽選用判定手段は、移行待ちモード用乱数抽出手段が抽出した乱数と、移行待ちモード抽選テーブルとに基づいて、数値の判定を行うためのものである。
（好機状態抽選手段120）
好機状態抽選手段120は、所定時に数値の抽選を行うためのものである。
また、本実施の形態では、好機状態抽選手段120は、設定変更の終了時、ＢＢゲームの終了時及びＲＢゲームの終了時に、数値の抽選を行う。つまり、本実施の形態では、所定時は、「設定変更の終了時、及び特別遊技の終了時」である。
また、本実施の形態では、スロットマシン10は、遊技の開始前に、特別遊技等の入賞確率を６段階に設定可能になっている。「設定変更」とは、この６段階の設定を他の段階又は同一の段階に設定し直すことをいう。つまり、「設定変更の終了時」とは、６段階の設定をし直す作業を終了したときのことを意味する。
【０１３７】
また、本実施の形態では、好機状態抽選手段120は、「０、２６、５１、７６、１０１、又は１５１」の範囲内で、数値の抽選を行う。つまり、本実施の形態では、好機状態抽選手段120の抽選結果の下限は、「０」であり、また、上限は、「１５１」である。なお、本実施の形態では、抽選結果として数値「０」が選択されるのは、設定変更終了時における抽選のみであり、特別遊技の終了時における抽選結果の下限は、「２６」となっている。
また、本実施の形態では、好機状態抽選手段120は、図示しないが、好機状態抽選用乱数発生手段と、好機状態抽選用乱数抽出手段と、好機状態抽選テーブルと、好機状態抽選用判定手段とを備えている。
【０１３８】
また、好機状態抽選用乱数発生手段は、役抽選手段104が備える乱数発生手段と同様のものである。また、好機状態抽選用乱数発生手段は、役抽選手段104が備える乱数発生手段又はその他の乱数発生手段と共用することもできる。
また、好機状態抽選用乱数抽出手段は、好機状態抽選用乱数発生手段が発生させた乱数を、所定の契機で抽出するためのものである。
また、好機状態抽選テーブルは、好機状態抽選用乱数発生手段が発生させる範囲内の各乱数について、数値をいくつにするかをあらかじめ定めたものである。
また、本実施の形態では、好機状態抽選用抽選テーブルは、特別遊技の終了時か否か、及び、いずれのモードの遊技中に入賞が可能になった特別遊技か、に応じて備えられている。
【０１３９】
本実施の形態では、図１３に示すように、例えば、設定変更終了時用の好機状態抽選テーブルは、数値「０」の決定確率を「９６／１２８」とし、また、数値「２６」の決定確率を「０／１２８」とし、また、数値「５１」の決定確率を「０／１２８」とし、また、数値「７６」の決定確率を「８／１２８」とし、また、数値「１０１」の決定確率を「１６／１２８」とし、また、数値「１５１」の決定確率を「８／１２８」としている。
さらに、本実施の形態では、第１高確率モード又は第２高確率モードの遊技が行われているときに入賞可能となったＢＢの終了時用、第１高確率モードでも第２高確率モードでもない遊技が行われているときに入賞可能となったＢＢの終了時用、第１高確率モード又は第２高確率モードの遊技が行われているときに入賞可能となったＲＢの終了時用、第１高確率モードでも第２高確率モードでもない遊技が行われているときに入賞可能となったＲＢの終了時用の、それぞれの好機状態抽選テーブルが、図１３に示す決定確率で定められている。
【０１４０】
また、好機状態抽選用判定手段は、役抽選手段104の抽選結果に基づいて１の好機状態抽選テーブルを選択するとともに、好機状態用乱数抽出手段が抽出した乱数と、選択した１の好機状態抽選テーブルとに基づいて、数値の判定を行うためのものである。
（ゲタ数抽選手段123）
ゲタ数抽選手段123は、所定時に数値の抽選を行うためのものである。
また、本実施の形態では、ゲタ数抽選手段123は、放出抽選手段110の抽選結果がＢＢ入賞又はＲＢ入賞を可能とする旨となったときに、数値の抽選を行う。
（第１高確率モード用カウンタ115）
第１高確率モード用カウンタ115は、第１高確率モード抽選手段111に対応して設けられているカウンタであって、第１高確率モード抽選手段111の抽選結果である数値を加算し、かつ、第１高確率モードの遊技が行われる毎に、記憶している数値から所定数を減算するためのものである。
【０１４１】
また、本実施の形態では、第１高確率モード用カウンタ115は、高確率モードの遊技が行われる毎に、記憶している数値から「１」を減算する。
（第２高確率モード用カウンタ116）
第２高確率モード用カウンタ116は、第２高確率モード抽選手段112に対応して設けられているカウンタであって、第２高確率モード抽選手段112の抽選結果である数値を加算し、かつ、第２高確率モードの遊技が行われる毎に、記憶している数値から所定数を減算するためのものである。
また、本実施の形態では、第２高確率モード用カウンタ116は、高確率モードの遊技が行われる毎に、記憶している数値から「１」を減算する。
【０１４２】
（高期待モード用カウンタ117）
高期待モード用カウンタ117は、高期待モード抽選手段113に対応して設けられているカウンタであって、高期待モード抽選手段113の抽選結果である数値を加算し、かつ、高期待モードの遊技が行われる毎に、記憶している数値から所定数を減算するためのものである。
また、本実施の形態では、高期待モード用カウンタ117は、高期待モードの遊技が行われる毎に、記憶している数値から「１」を減算する。
（移行待ちモード用カウンタ118）
移行待ちモード用カウンタ118は、移行待ちモード抽選手段114に対応して設けられているカウンタであって、移行待ちモード抽選手段114の抽選結果である数値を加算し、かつ、移行待ちモードの遊技が行われる毎に、記憶している数値から所定数を減算するためのものである。
【０１４３】
また、本実施の形態では、移行待ちモード用カウンタ118は、移行待ちモードの遊技が行われる毎に、記憶している数値から「１」を減算する。
（好機状態用カウンタ121）
好機状態用カウンタ121は、好機状態抽選手段120に対応して設けられているカウンタであって、好機状態抽選手段120の抽選結果である数値を加算し、かつ、好機状態の遊技が行われる毎に、記憶している数値から所定数を減算するためのものである。
また、本実施の形態では、好機状態用カウンタ121は、好機状態の遊技が行われる毎に、記憶している数値から「１」を減算する。
【０１４４】
（ゲタ数カウンタ124）
ゲタ数カウンタ124は、ゲタ数抽選手段123に対応して設けられているカウンタであって、ゲタ数抽選手段123の抽選結果である数値を加算し、かつ、リプレイ当選高確率状態終了ゲタ処理中に遊技が行われる毎に、記憶している数値から１を減算するためのものである。
（高確率モード制御手段119）
高確率モード制御手段119は、第１高確率モード用カウンタ115、第２高確率モード用カウンタ116、移行待ちモード用カウンタ118、及び高期待モード用カウンタ117の数値に基づき、一般遊技中の遊技を、通常モード、第１高確率モード、第２高確率モード、高期待モード、又は移行待ちモードへ移行させるためのものである。
【０１４５】
上述したように、本実施の形態では、一般遊技中のモードとして、通常モードと、第１高確率モードと、第２高確率モードと、高期待モードと、移行待ちモードとを設けている。
また、本実施の形態では、通常モード、第１高確率モード、第２高確率モード、高期待モード、及び移行待ちモードは、同次元のモードである。
そして、本実施の形態では、高確率モード制御手段119は、上記４つのカウンタの数値に基づき、上記５つのモードの中からいずれか１のモードを択一的に選択する。
具体的には、本実施の形態では、高確率モード制御手段119は、第１高確率モード用カウンタ115の数値が１以上であれば、第２高確率モード用カウンタ116、移行待ちモード用カウンタ118、及び高期待モード用カウンタ117の数値にかかわらず、第１高確率モードとする。
【０１４６】
また、本実施の形態では、高確率モード制御手段119は、第１高確率モード用カウンタ115の数値が０であり、かつ、移行待ちモード用カウンタ118の数値が１以上であれば、第２高確率モード用カウンタ116、及び高期待モード用カウンタ117の数値にかかわらず、移行待ちモードとする。
また、本実施の形態では、高確率モード制御手段119は、第１高確率モード用カウンタ115及び移行待ちモード用カウンタ118の数値がいずれも０であり、かつ、第２高確率モード用カウンタ116の数値が１以上であれば、高期待モード用カウンタ117の数値にかかわらず、第２高確率モードとする。
【０１４７】
また、本実施の形態では、高確率モード制御手段119は、第１高確率モード用カウンタ115、第２高確率モード用カウンタ116及び移行待ちモード用カウンタ118の数値がいずれも０であり、かつ、高期待モード用カウンタ117の数値が１以上であれば、高期待モードとする。
また、本実施の形態では、高確率モード制御手段119は、第１高確率モード用カウンタ115、第２高確率モード用カウンタ116、移行待ちモード用カウンタ118及び高期待モード用カウンタ117の数値がいずれも０であれば、通常モードとする。
（好機状態制御手段122）
好機状態制御手段122は、好機状態用カウンタ121の数値に基づき、一般遊技中の遊技を、通常状態、又は好機状態に移行させるためのものである。
【０１４８】
上述したように、本実施の形態では、一般遊技中の状態として、通常状態と、好機状態とを設けている。
また、本実施の形態では、通常状態、及び好機状態は同次元の状態であるが、高確率モード制御手段119により制御される各種モードとは別次元のものである。
そして、本実施の形態では、好機状態制御手段122は、好機状態用カウンタ121の数値に基づき、上記２つの状態のうちからいずれか１の状態を択一的に選択する。
具体的には、本実施の形態では、好機状態制御手段122は、好機状態用カウンタ121の数値が１以上であれば、好機状態とする。
【０１４９】
また、本実施の形態では、好機状態制御手段122は、好機状態用カウンタ121の数値が０であれば、通常状態とする。
（報知手段125）
報知手段125は、一般遊技中の遊技において、いずれのモード及び状態が実行されているか報知するためのものである。
本実施の形態では、上記したように、一般遊技中には、５つのモードと２つの状態とが組み合わされた遊技が実行されている。報知手段125は、いずれのモードの遊技が実行されているか、いずれの状態の遊技が実行されているか、または、いずれのモードといずれの状態とが組み合わされた遊技が実行されているかを報知するためのものである。
【０１５０】
また、本実施の形態では、報知手段125は、演出用ランプ77を所定の態様で発光させ、液晶ディスプレイ79で所定の表示を行い、スピーカ78で所定の音声を発することで、いずれのモード及び状態が実行されているかを報知する。
具体的には、本実施の形態では、第１高確率モードの遊技が実行されているときには、演出用ランプ77を第１高確率モードのとき用の発光態様で発光し、液晶ディスプレイ79に第１高確率モードの遊技が実行されていることを表示し、スピーカ78が発する遊技中の効果音を変化させる。すなわち、報知手段125は、第１高確率モードの遊技が実行されていることを、明示的に報知する。
【０１５１】
また、本実施の形態では、特別遊技の終了後に好機状態の遊技が実行されている場合には、演出用ランプ77及びスピーカ78は通常状態の際と同じ態様で演出を行い、液晶ディスプレイ79で所定の表示が表示される頻度を高くする。すなわち、報知手段125は、好機状態の遊技が実行されていることを、暗示的に報知する。
（カウンタメモリ持越手段126）
カウンタメモリ持越手段126は、特別遊技の実行前に記憶されていた高確率モード用カウンタ又は高期待モード用カウンタ117のうち、少なくともいずれか一方を、特別遊技の実行後に保持するためのものである。
【０１５２】
本実施の形態では、特別遊技の実行前に、第１高確率モード用カウンタ111及び、高期待モード用カウンタ117に記憶されていた数値を、そのまま、特別遊技の実行後も保持する。
（スロットマシン10の動作）
以下、図１４ないし図２０に示すフローチャートに基づいて、本実施の形態に係るスロットマシン10の動作の概略を説明する。
まず、図１４及び図１５に示すフローチャートに基づいて、メイン処理について説明する。
【０１５３】
ステップ１００において、一般遊技制御手段101により、ボーナスカウンタの数値が０か否かの判断が行われる。具体的には、ＢＢカウンタ108又はＲＢカウンタ109の少なくとも一方の数値が１以上か否かの判断が行われる。ここで、ＢＢカウンタ108及びＲＢカウンタ109の双方の数値が０であると判断されると、ステップ１０１に進む。一方、ＢＢカウンタ108又はＲＢカウンタ109の少なくとも一方の数値が１以上であると判断されると、Ａ（ステップ１１０）に進む。すなわち、ＢＢカウンタ108の数値が１以上であれば、ＲＢカウンタ109の数値が０であっても、Ａ（ステップ１１０）に進み、また、ＢＢカウンタ108の数値が０であっても、ＲＢカウンタ109の数値が１以上であれば、Ａ（ステップ１１０）に進む。
【０１５４】
ステップ１０１において、役抽選手段104により、一般役抽選テーブルを用いて、役抽選が行われる。そして、ステップ１０２に進む。
ステップ１０２において、一般遊技制御手段101により、役抽選手段104の抽選結果がボーナス当選か否かの判断が行われる。具体的には、役抽選手段104の抽選結果がＢＢ当選又はＲＢ当選のいずれか一方か否かの判断が行われる。ここで、役抽選手段104の抽選結果がボーナス当選であると判断されると、すなわち、役抽選手段104の抽選結果がＢＢ当選又はＲＢ当選であると判断されると、ステップ１０３に進む。一方、役抽選手段104の抽選結果がボーナス当選ではないと判断されると、すなわち、役抽選手段104の抽選結果がＢＢ当選でもＲＢ当選でもないと判断されると、ステップ１０４に進む。
【０１５５】
ステップ１０３において、ボーナスカウンタの数値の加算が行われる。具体的には、ステップ１０２において、役抽選手段104の抽選結果がＢＢ当選であると判断されたときには、ＢＢカウンタ108の数値が１つ加算される。また、ステップ１０２において、役抽選手段104の抽選結果がＲＢ当選であると判断されたときには、ＲＢカウンタ109の数値が１つ加算される。そして、ステップ１０４に進む。
ステップ１０４において、遊技処理が行われる。また、遊技処理については、後で詳しく説明する。そして、遊技処理が終了すると、ステップ１００に戻る。
ステップ１１０において、高確率モード制御手段119により、モード移行処理が行われる。また、モード移行処理については、後で詳しく説明する。そして、モード移行処理が終了すると、ステップ１１１に進む。
【０１５６】
ステップ１１１において、放出抽選手段110により、放出抽選処理が行われる。また、放出抽選処理については、後で詳しく説明する。そして、放出抽選処理が終了すると、ステップ１１２に進む。
ステップ１１２において、一般遊技制御手段101により、放出抽選手段110の抽選結果がボーナス入賞を可能とする旨となったか否かの判断が行われる。具体的には、放出抽選手段110の抽選結果がＢＢ入賞又はＲＢ入賞を可能とする旨か否かの判断が行われる。ここで、放出抽選手段110の抽選結果がボーナス入賞を可能とする旨にはならなかったと判断されると、すなわち、放出抽選手段110の抽選結果がＢＢ入賞又はＲＢ入賞を可能とする旨にはならなかったと判断されると、ステップ１１３に進む。一方、放出抽選手段110の抽選結果がボーナス入賞を可能とする旨になったと判断されると、すなわち、放出抽選手段110の抽選結果がＢＢ入賞又はＲＢ入賞を可能とする旨となったと判断されると、ステップ１１８に進む。
【０１５７】
ステップ１１３において、役抽選手段104により、高リプレイ役抽選テーブルを用いて、役抽選が行われる。つまり、リプレイ当選高確率状態となる。そして、ステップ１１４に進む。
ステップ１１４において、一般遊技制御手段101により、役抽選手段104の抽選結果がボーナス当選か否かの判断が行われる。具体的には、役抽選手段104の抽選結果がＢＢ当選又はＲＢ当選か否かの判断が行われる。ここで、役抽選手段104の抽選結果がボーナス当選であると判断されると、すなわち、役抽選手段104の抽選結果がＢＢ当選又はＲＢ当選であると判断されると、ステップ１１５に進む。一方、役抽選手段104の抽選結果がボーナス当選ではないと判断されると、すなわち、役抽選手段104の抽選結果がＢＢ当選でもＲＢ当選でもないと判断されると、ステップ１１６に進む。
【０１５８】
ステップ１１５において、ボーナスカウンタの数値の加算が行われる。具体的には、ステップ１１４において、役抽選手段104の抽選結果がＢＢ当選であると判断されたときには、ＢＢカウンタ108の数値が１つ加算される。また、ステップ１１４において、役抽選手段104の抽選結果がＲＢ当選であると判断されたときには、ＲＢカウンタ109の数値が１つ加算される。そして、ステップ１１６に進む。
ステップ１１６において、モード抽選処理が行われる。また、モード抽選処理については、後で詳しく説明する。そして、モード抽選処理が終了すると、ステップ１１７に進む。
【０１５９】
ステップ１１７において、遊技処理が行われる。また、遊技処理については、後で詳しく説明する。そして、遊技処理が終了すると、ステップ１１０に戻る。
ステップ１１８において、リプレイ当選高確率状態終了ゲタ処理が行われる。また、リプレイ当選高確率状態終了ゲタ処理については、後で詳しく説明する。そして、リプレイ当選高確率状態終了ゲタ処理が終了すると、ステップ１１９に進む。
ステップ１１９において、役抽選手段104により、内部当たり中役抽選テーブルを用いて、役抽選が行われる。そして、ステップ１２０に進む。
ステップ１２０において、遊技処理が行われる。また、遊技処理については、後で詳しく説明する。そして、遊技処理が終了すると、ステップ１２１に進む。
【０１６０】
ステップ１２１において、入賞判定手段107により、ボーナス入賞か否かの判断が行われる。具体的には、ＢＢ入賞又はＲＢ入賞が引き当てられたか否かの判断が行われる。ここで、ボーナス入賞が引き当てられなかったと判断されると、すなわち、ＢＢ入賞もＲＢ入賞も引き当てられなかったと判断されると、ステップ１１９に戻る。一方、ボーナス入賞が引き当てられたと判断されると、すなわち、ＢＢ入賞又はＲＢ入賞が引き当てられたと判断されると、ステップ１２２に進む。
ステップ１２２において、ボーナスカウンタの数値の減算が行われる。具体的には、ステップ１２１において、入賞判定手段107により、ＢＢ入賞が引き当てられたと判断されたときには、ＢＢカウンタ108の数値が１つ減算される。また、ステップ１２２において、入賞判定手段107により、ＲＢ入賞が引き当てられたと判断されたときには、ＲＢカウンタ109の数値が１つ減算される。そして、ステップ１２３に進む。
【０１６１】
ステップ１２３において、ＢＢ制御手段103又はＲＢ制御手段102により、ボーナスゲーム処理が行われる。具体的には、ステップ１２１において、入賞判定手段107により、ＢＢ入賞が引き当てられたと判断されたときには、ＢＢ制御手段103により、ＢＢゲームが行われる。また、ステップ１２１において、入賞判定手段107により、ＲＢ入賞が引き当てられたと判断されたときには、ＲＢ制御手段102により、ＲＢゲームが行われる。そして、ステップ１２４に進む。
ステップ１２４において、好機状態抽選手段120により、数値の抽選が行われる。そして、ステップ１２５に進む。
【０１６２】
ステップ１２５において、好機状態用カウンタ121により、好機状態抽選手段120の抽選結果である数値の加算が行われる。そして、Ｂ（ステップ１００）に進む。
次に、図１６に示すフローチャートに基づいて、モード移行処理について説明する。
ステップ２００において、高確率モード制御手段119により、第１高確率モード用カウンタ115の数値が０か否かの判断が行われる。ここで、第１高確率モード用カウンタ115の数値が０ではないと判断されると、すなわち、第１高確率モード用カウンタ115の数値が１以上であると判断されると、ステップ２０１に進む。一方、第１高確率モード用カウンタ115の数値が０であると判断されると、ステップ２０３に進む。
【０１６３】
ステップ２０１において、第１高確率モード用カウンタ115により、数値の減算が行われる。そして、ステップ２０２に進む。
ステップ２０２において、高確率モード制御手段119により、第１高確率モードとされる。具体的には、前回が第１高確率モード以外のモードであれば、第１高確率モードへ移行し、また、前回が第１高確率モードであれば、第１高確率モードが維持される。そして、モード移行処理は終了する。
ステップ２０３において、高確率モード制御手段119により、移行待ちモード用カウンタ118の数値が０か否かの判断が行われる。ここで、移行待ちモード用カウンタ118の数値が０ではないと判断されると、すなわち、移行待ちモード用カウンタ118の数値が１以上であると判断されると、ステップ２０４に進む。一方、移行待ちモード用カウンタ118の数値が０であると判断されると、ステップ２０９に進む。
【０１６４】
ステップ２０４において、移行待ちモード用カウンタ118により、数値の減算が行われる。そして、ステップ２０５に進む。
ステップ２０５において、高確率モード制御手段119により、再び、移行待ちモード用カウンタ118の数が０か否かの判断が行われる。すなわち、ステップ２０４の処理により、移行待ちモード用カウンタ118の数値が０になったか否かが判断される。ここで、移行待ちモード用カウンタ118の数値が０ではないと判断されると、すなわち、減算を行っても０になっていないと判断されると、ステップ２０６に進む。一方、移行待ちモード用カウンタ118の数値が０であると判断されると、すなわち、減算により０になったと判断されると、ステップ２０７に進む。
【０１６５】
ステップ２０６において、高確率モード制御手段119により、移行待ちモードとされる。具体的には、前回が移行待ちモード以外のモードであれば、移行待ちモードへ移行し、また、前回が移行待ちモードであれば、移行待ちモードが維持される。そして、モード移行処理は終了する。
ステップ２０７において、第２高確率モード抽選手段112により、数値の抽選が行われる。そして、ステップ２０８に進む。
ステップ２０８において、第２高確率モード用カウンタ116の設定が行われる。すなわち、第２高確率モード用カウンタ116に、第２高確率モード抽選手段112の抽選結果である数値が設定される。そして、ステップ２１１に進む。
【０１６６】
ステップ２０９において、高確率モード制御手段119により、第２高確率モード用カウンタ116の数値が０か否かの判断が行われる。ここで、第２高確率モード用カウンタ116の数値が０ではないと判断されると、すなわち、第２高確率モード用カウンタ116の数値が１以上であると判断されると、ステップ２１０に進む。一方、第２高確率モード用カウンタ116の数値が０であると判断されると、ステップ２１２に進む。
ステップ２１０において、第２高確率モード用カウンタ116により、数値の減算が行われる。そして、ステップ２１１に進む。
ステップ２１１において、高確率モード制御手段119により、第２高確率モードとされる。具体的には、前回が第２高確率モード以外のモードであれば、第２高確率モードへ移行し、また、前回が第２高確率モードであれば、第２高確率モードが維持される。そして、モード移行処理は終了する。
【０１６７】
ステップ２１２において、高確率モード制御手段119により、高期待モード用カウンタ117の数値が０か否かの判断が行われる。ここで、高期待モード用カウンタ117の数値が０ではないと判断されると、すなわち、高期待モード用カウンタ117の数値が１以上であると判断されると、ステップ２１３に進む。一方、高期待モード用カウンタ117の数値が０であると判断されると、ステップ２１９に進む。
ステップ２１３において、高期待モード用カウンタ117により、数値の減算が行われる。そして、ステップ２１４に進む。
ステップ２１４において、高確率モード制御手段119により、高期待モードとされる。具体的には、前回が高期待モード以外のモードであれば、高期待モードへ移行し、また、前回が高期待モードであれば、高期待モードが維持される。そして、ステップ２１５に進む。
【０１６８】
ステップ２１５において、移行待ちモード抽選手段114により、数値の抽選が行われる。そして、ステップ２１６に進む。
ステップ２１６において、移行待ちモード抽選手段114の抽選結果である数値が０か否かの判断が行われる。ここで、移行待ちモード抽選手段114の抽選結果である数値が０ではないと判断されると、すなわち、移行待ちモード抽選手段114の抽選結果である数値が１以上であると判断されると、ステップ２１７に進む。一方、移行待ちモード抽選手段114の抽選結果である数値が０であると判断されると、高期待モードのまま、モード移行処理は終了する。
【０１６９】
ステップ２１７において、移行待ちモード用カウンタ118の設定が行われる。すなわち、移行待ちモード用カウンタ118に、移行待ちモード抽選手段114の抽選結果である数値が加算される。そして、ステップ２１８に進む。
ステップ２１８において、高確率モード制御手段119により、移行待ちモードとされる。すなわち、高期待モードから移行待ちモードへ移行する。そして、モード移行処理は終了する。
ステップ２１９において、高確率モード制御手段119により、通常モードとされる。具体的には、前回が通常モード以外のモードであれば、通常モードへ移行し、また、前回が通常モードであれば、通常モードが維持される。そして、モード移行処理は終了する。
【０１７０】
次に、図１７に示すフローチャートに基づいて、放出抽選処理について説明する。
ステップ２５０において、放出抽選手段110が備える放出抽選判定手段により、第１高確率モードか否かの判断が行われる。ここで、第１高確率モードであると判断されると、ステップ２５１に進む。一方、第１高確率モードではないと判断されると、ステップ２５２に進む。
ステップ２５１において、放出抽選手段110が備える放出抽選判定手段により、第１高確率放出抽選テーブルが選択される。そして、ステップ２５５に進む。
ステップ２５２において、放出抽選手段110が備える放出抽選判定手段により、第２高確率モードか否かの判断が行われる。ここで、第２高確率モードであると判断されると、ステップ２５３に進む。一方、第２高確率モードではないと判断されると、ステップ２５４に進む。
【０１７１】
ステップ２５３において、放出抽選手段110が備える放出抽選判定手段により、第２高確率放出抽選テーブルが選択される。そして、ステップ２５５に進む。
ステップ２５４において、放出抽選手段110が備える放出抽選判定手段により、通常放出抽選テーブルが選択される。そして、ステップ２５５に進む。
ステップ２５５において、放出抽選手段110が備える放出抽選判定手段により、選択した放出抽選テーブルを用いて、ＢＢ入賞又はＲＢ入賞を可能とするか否かの判定が行われる。そして、放出抽選処理は終了する。
次に、図１８に示すフローチャートに基づいて、モード抽選処理について説明する。
【０１７２】
ステップ３００において、好機状態制御手段122により、好機状態用カウンタ121の数値が０か否かの判断が行われる。ここで、好機状態用カウンタ121の数値が０ではないと判断されると、すなわち、好機状態用カウンタ121の数値が１以上であると判断されると、ステップ３０１に進む。一方、好機状態用カウンタ121の数値が０であると判断されると、ステップ３０３に進む。
ステップ３０１において、好機状態用カウンタ121により、数値の減算が行われる。そして、ステップ３０２に進む。
ステップ３０２において、好機状態制御手段122により、好機状態とされる。具体的には、前回が通常状態であれば、好機状態へ移行し、また、前回が好機状態であれば、好機状態が維持される。そして、ステップ３０４に進む。
【０１７３】
ステップ３０３において、好機状態制御手段122により、通常状態とされる。具体的には、前回が好機状態であれば、通常状態へ移行し、また、前回が通常状態であれば、通常状態が維持される。そして、ステップ３０４に進む。
ステップ３０４において、第１高確率モード抽選手段111により、数値の抽選が行われる。そして、ステップ３０５に進む。
ステップ３０５において、第１高確率モード抽選手段111の抽選結果である数値が０か否かの判断が行われる。ここで、第１高確率モード抽選手段111の抽選結果である数値が０ではないと判断されると、すなわち、第１高確率モード抽選手段111の抽選結果である数値が１以上であると判断されると、ステップ３０６に進む。一方、第１高確率モード抽選手段111の抽選結果である数値が０であると判断されると、ステップ３０７に進む。
【０１７４】
ステップ３０６において、第１高確率モード用カウンタ115により、第１高確率モード抽選手段111の抽選結果である数値の加算が行われる。そして、モード抽選処理は終了する。
ステップ３０７において、第１高確率モード用カウンタ115及び第２高確率モード用カウンタ116の双方の数値が０か否かの判断が行われる。ここで、第１高確率モード用カウンタ115及び第２高確率モード用カウンタ116の少なくとも一方の数値が０ではないと判断されると、すなわち、第１高確率モード用カウンタ115の数値が１以上であるか、第２高確率モード用カウンタ116の数値が１以上であるか、又は第１高確率モード用カウンタ115及び第２高確率モード用カウンタ116の双方の数値が１以上であると判断されると、ステップ３０８に進む。一方、第１高確率モード用カウンタ115及び第２高確率モード用カウンタ116の双方の数値が０であると判断されると、すなわち、第１高確率モード用カウンタ115の数値が０であり、かつ、第２高確率モード用カウンタ116の数値も０であると判断されると、ステップ３０９に進む。
【０１７５】
ステップ３０８において、高期待モード抽選手段113が備える高期待モード抽選用判定手段により、所定の高期待モード抽選テーブルが選択される。具体的には、役抽選手段104の抽選結果に基づいて、第１高確率モード又は第２高確率モードのとき用の高期待モード抽選テーブルが選択される。そして、ステップ３１２に進む。
ステップ３０９において、好機状態の遊技が実行されているか否かの判断が行われる。ここで、好機状態の遊技が実行されていると判断されると、ステップ３１０に進む。一方、好機状態の遊技が実行されていない、すなわち、通常状態の遊技が実行されていると判断されると、ステップ３１１に進む。
【０１７６】
ステップ３１０において、高期待モード抽選手段113が備える高期待モード抽選用判定手段により、所定の高期待モード抽選テーブルが選択される。具体的には、役抽選手段104の抽選結果に基づいて、第１高確率でも第２高確率モードでもなく、かつ、好機状態のとき用の高期待モード抽選テーブルが選択される。そして、ステップ３１２に進む。
ステップ３１１において、高期待モード抽選手段113が備える高期待モード抽選用判定手段により、所定の高期待モード抽選テーブルが選択される。具体的には、役抽選手段104の抽選結果に基づいて、第１高確率モードでも第２高確率モードでもなく、かつ、津上状態のとき用の高期待モード抽選テーブルが選択される。そして、ステップ３１２に進む。
【０１７７】
ステップ３１２において、高期待モード抽選手段113が備える高期待モード抽選用判定手段により、選択した高期待モード抽選テーブルを用いて、数値の判定が行われる。そして、ステップ３１３に進む。
ステップ３１３において、高期待モード抽選手段113の抽選結果である数値が０か否かの判断が行われる。ここで、高期待モード抽選手段113の抽選結果である数値が０ではないと判断されると、すなわち、高期待モード抽選手段113の抽選結果である数値が１以上であると判断されると、ステップ３１４に進む。一方、高期待モード抽選手段113の抽選結果である数値が０であると判断されると、モード抽選処理は終了する。
【０１７８】
ステップ３１４において、高期待モード用カウンタ117により、高期待モード抽選手段113の抽選結果である数値の加算が行われる。そして、モード抽選処理は終了する。
次に、図１９に示すフローチャートに基づいて、リプレイ当選高確率状態終了ゲタ処理について説明する。
ステップ４００において、ゲタ数抽選手段123により、数値の抽選が行われる。そして、ステップ４０１に進む。
ステップ４０１において、ゲタ数カウンタ124の設定が行われる。すなわち、ゲタ数カウンタ124により、ゲタ数抽選手段123の抽選結果である数値の設定が行われる。そして、ステップ４０２に進む。
【０１７９】
ステップ４０２において、ゲタ数カウンタ124の数値が０か否かの判断が行われる。ここで、ゲタ数カウンタ124の数値が０ではないと判断されると、すなわち、ゲタ数カウンタ124の数値が１以上であると判断されると、ステップ４０３に進む。一方、ゲタ数カウンタ124の数値が０であると判断されると、リプレイ当選高確率状態終了ゲタ処理は終了する。
ステップ４０３において、ゲタ数カウンタ124により、その数値が１つ減算される。そして、ステップ４０４に進む。
ステップ４０４において、役抽選手段104により、高リプレイ役抽選テーブルを用いて、役抽選が行われる。そして、ステップ４０５に進む。
【０１８０】
ステップ４０５において、一般遊技制御手段101により、役抽選手段104の抽選結果がボーナス当選か否かの判断が行われる。具体的には、役抽選手段104の抽選結果がＢＢ当選又はＲＢ当選のいずれか一方か否かの判断が行われる。ここで、役抽選手段104の抽選結果がボーナス当選であると判断されると、すなわち、役抽選手段104の抽選結果がＢＢ当選又はＲＢ当選であると判断されると、ステップ４０６に進む。一方、役抽選手段104の抽選結果がボーナス当選ではないと判断されると、すなわち、役抽選手段104の抽選結果がＢＢ当選でもＲＢ当選でもないと判断されると、ステップ４０７に進む。
ステップ４０６において、ボーナスカウンタの数値の加算が行われる。具体的には、ステップ４０５において、役抽選手段104の抽選結果がＢＢ当選であると判断されたときには、ＢＢカウンタ108の数値が１つ加算される。また、ステップ４０５において、役抽選手段104の抽選結果がＲＢ当選であると判断されたときには、ＲＢカウンタ109の数値が１つ加算される。そして、ステップ４０７に進む。
【０１８１】
ステップ４０７において、遊技処理が行われる。また、遊技処理については、後で詳しく説明する。そして、遊技処理が終了すると、ステップ４０２に戻る。
次に、図２０に示すフローチャートに基づいて、遊技処理について説明する。
ステップ５００において、制御装置100により、回転リール40の回転開始処理が行われる。そして、ステップ５０１に進む。
ステップ５０１において、停止制御手段106により、役抽選の結果に基づき、１の停止テーブル105の選択処理が行われる。そして、ステップ５０２に進む。
ステップ５０２において、停止制御手段106により、選択した停止テーブル105を用いて、回転リール40の回転停止処理が行われる。そして、ステップ５０３に進む。
【０１８２】
ステップ５０３において、入賞判定手段107により、入賞判定処理が行われる。そして、ステップ５０４に進む。
ステップ５０４において、制御装置100により、入賞払出処理が行われる。そして、遊技処理は終了する。
以上説明したように、本実施の形態では、一般遊技中のモードとして、通常モードと、第１高確率モードと、第２高確率モードと、高期待モードと、移行待ちモードとを設けている。
また、本実施の形態では、一般遊技中の状態として、通常状態と、好機状態とを設けている。
【０１８３】
本実施の形態では、これらの遊技のうち、第１高確率モード及び第２高確率モードの遊技が実行されると、特別遊技が実行される確率が高くなる。このことにより、特別遊技が発生しやすい状況と、そうではない状況とを創出可能となり、遊技が単調にならず、遊技者の興趣を高めることができる。
また、本実施の形態では、通常モード、第１高確率モード、第２高確率モード、高期待モード、及び移行待ちモードは、同次元のモードである。
つまり、本実施の形態では、一般遊技中は、これら５つのモードの中からいずれか１のモードが択一的に選択される。
【０１８４】
また、本実施の形態では、通常状態と好機状態とは同次元の状態であり、これらの状態は、通常モード、第１高確率モード、第２高確率モード、高期待モード及び移行待ちモードとは、別次元の遊技である。つまり、一般遊技中には、通常モード、第１高確率モード、第２高確率モード、高期待モード及び移行待ちモードとは無関係に、通常状態の遊技と、好機状態の遊技とが実行されている。そのため、一般遊技中の遊技には、通常モード、第１高確率モード、第２高確率モード、高期待モード又は移行待ちモードでありながら、通常状態の遊技と、通常モード、第１高確率モード、第２高確率モード、高期待モード又は移行待ちモードでありながら、好機状態の遊技と、それぞれの組合せの遊技が存在する
また、本実施の形態では、所定時に、第１高確率モード抽選手段111により数値の抽選が行われ、この抽選結果である数値が、第１高確率モード用カウンタ115に加算され、また、第１高確率モードの遊技が行われる毎に、第１高確率モード用カウンタ115の数値が所定数減算される。
【０１８５】
同様に、所定時に、第２高確率モード抽選手段112により数値の抽選が行われ、この抽選結果である数値が、第２高確率モード用カウンタ116に設定され、また、第２高確率モードの遊技が行われる毎に、第２高確率モード用カウンタ116の数値が所定数減算される。
同様に、所定時に、移行待ちモード抽選手段114により数値の抽選が行われ、この抽選結果である数値が、移行待ちモード用カウンタ118に加算され、また、移行待ちモードの遊技が行われる毎に、移行待ちモード用カウンタ118の数値が所定数減算される。
同様に、所定時に、高期待モード抽選手段113により数値の抽選が行われ、この抽選結果である数値が、高期待モード用カウンタ117に加算され、また、高期待モードの遊技が行われる毎に、高期待モード用カウンタ117の数値が所定数減算される。
【０１８６】
同様に、所定時に、好機状態抽選手段120により数値の抽選が行われ、この抽選結果である数値が、好機状態用カウンタ121に加算され、また、好機状態の遊技が行われる毎に、好機状態用カウンタ121の数値が所定数減算される。
そして、本実施の形態では、高確率モード制御手段119が、第１高確率モード用カウンタ115、第２高確率モード用カウンタ116、移行待ちモード用カウンタ118、及び高期待モード用カウンタ117の数値に基づき、一般遊技中の遊技を、通常モード、第１高確率モード、第２高確率モード、高期待モード、又は移行待ちモードへ移行させる。
具体的には、高確率モード制御手段119は、第１高確率モード用カウンタ115の数値が１以上であれば、第２高確率モード用カウンタ116、移行待ちモード用カウンタ118、及び高期待モード用カウンタ117の数値にかかわらず、第１高確率モードとし、また、第１高確率モード用カウンタ115の数値が０であり、かつ、移行待ちモード用カウンタ118の数値が１以上であれば、第２高確率モード用カウンタ116、及び高期待モード用カウンタ117の数値にかかわらず、移行待ちモードとし、また、第１高確率モード用カウンタ115及び移行待ちモード用カウンタ118の数値がいずれも０であり、かつ、第２高確率モード用カウンタ116の数値が１以上であれば、高期待モード用カウンタ117の数値にかかわらず、第２高確率モードとし、第１高確率モード用カウンタ115、第２高確率モード用カウンタ116及び移行待ちモード用カウンタ118の数値がいずれも０であり、かつ、高期待モード用カウンタ117の数値が１以上であれば、高期待モードとし、第１高確率モード用カウンタ115、第２高確率モード用カウンタ116、移行待ちモード用カウンタ118及び高期待モード用カウンタ117の数値がいずれも０であれば、通常モードとする。
【０１８７】
また、本実施の形態では、好機状態制御手段122が、好機状態用カウンタ121の数値に基づき、一般遊技中の遊技を、通常状態、又は好機状態へ移行させる。
具体的には、好機状態制御手段122は、好機状態用カウンタ121の数値が１以上であれば、好機状態とし、また、好機状態用カウンタ121の数値が０であれば、通常状態とする。
このように、本実施の形態では、第１高確率モード用カウンタ115、第２高確率モード用カウンタ116、移行待ちモード用カウンタ118、及び高期待モード用カウンタ117の数値に基づいて、通常モードへ移行したり、第１高確率モードへ移行したり、第２高確率モードへ移行したり、高期待モードへ移行したり、移行待ちモードへ移行したりする。つまり、４つのカウンタの数値に基づいて、５つのモードを移行する。このため、遊技が単調にならず、遊技者の興趣が高まる。
【０１８８】
さらに、本実施の形態では、好機状態用カウンタ121の数値に基づいて、通常状態へ移行したり、好機状態へ移行したりする。つまり、上記の５つのモードに加えて、独立して移行する２つの状態があるため、遊技が単調にならず、遊技者の興趣が高まる。
また、本実施の形態では、高期待モードの遊技が行われる場合にのみ、移行待ちモード抽選手段114による抽選を行うこととし、さらに、移行待ちモードが終了するときに、第２高確率モード抽選手段112による抽選を行うこととした。すなわち、高期待モードにならなければ、第２高確率モード抽選手段112による抽選は行われず、遊技の緊張感が高まる。このため、遊技が単調にならず、遊技者の興趣が高まる。
【０１８９】
また、第１高確率モードは通常モードから直接移行するのに対して、第２高確率モードでは高期待モードを経由して実行される。このことにより、第１高確率モードと第２高確率モードとで移行方法が異ならせることができ、遊技が単調にならず、遊技者の興趣を高めることができる。
また、本実施の形態では、好機状態では、高期待モード抽選手段113の抽選結果が１以上になる確率が、好機状態ではないときよりも高くなる。これにより、好機状態では、高期待モード用カウンタ117に数値が加算される確率が、好機状態ではないときよりも高くなる。このため、好機状態へ移行すると、高期待モードへの移行の期待感が高まる。したがって、遊技が単調にならず、遊技者の興趣が高まる。
【０１９０】
また、本実施の形態では、好機状態抽選手段120は、特別遊技の終了時に、抽選結果が１以上になるように定めた好機状態抽選テーブルを用いて、数値の抽選を行う。このため、特別遊技の終了後には、好機状態用カウンタ121の数値が１以上になることから、好機状態となり、これにより、高期待モードへの移行の期待感が高まり、ひいては、第２高確率モード及び特別遊技への移行の期待感も高まる。つまり、特別遊技の連荘の期待感が高まる。このため、遊技が単調にならず、遊技者の興趣が高まる。
また、本実施の形態では、通常モードから一旦移行待ちモードへ移行させ、その後に移行待ちモードから第２高確率モードへ移行させる。このため、移行待ちモードにおいて第２高確率モードへの移行を察知させるような種々の演出を行うことができる。これにより、遊技者の期待感を高めることができる。
【０１９１】
また、本実施の形態では、報知手段125が、一般遊技中の遊技において、いずれのモードの遊技、いずれの状態の遊技、又はいずれのモードかつ状態の遊技が実行されているのかを報知する。そのため、遊技者は、いずれのモード及び状態の遊技が実行されているのかを察知しやすくなり、遊技者の興趣が高まる。
また、本実施の形態では、役抽選手段104の抽選結果に基づいて、第１高確率モード抽選テーブル、及び高期待モード抽選テーブルを移行させている。このため、遊技が単調にならず、遊技者の興趣が高まる。
また、本実施の形態では、特別遊技として、ＲＢゲーム及びＢＢゲームを設けている。このため、第１高確率モード及び第２高確率モードにより、これらのボーナスゲームの発生しやすい状況と、そうでない状況とを創出可能となり、遊技が単調にならず、遊技者の興趣が高まる。
【０１９２】
また、本実施の形態では、ＲＢ当選及びＢＢ当選を一旦ストックし、ストックしているＲＢ当選又はＢＢ当選の放出が抽選で決定されると、ＲＢ入賞又はＢＢ入賞を引き当て得るようにしている。すなわち、本実施の形態に係るスロットマシン10は、いわゆるストック機である。このため、意図的にボーナスゲームが連続する状況を発生させやすく、遊技が単調にならず、遊技者の興趣が高まる。
また、本実施の形態では、カウンタメモリ持越手段126は、特別遊技の実行前に記憶されていた第１高確率モード用カウンタ115及び高期待モード用カウンタ117の双方の数値を、特別遊技の終了後も保持させる。そのため、特別遊技の終了後も、第１高確率モード又は高期待モードの遊技を実行可能となり、再び特別遊技が実行される期待感が高まる。このため、遊技が単調にならず、遊技者の期待感を高めることができる。
【０１９３】
（他の実施の形態）
なお、上記実施の形態では、高確率モードとして、第１高確率モードと第２高確率モードとを設けたが、高確率モードをこれら２つのモードに分けなくてもよい。例えば、通常モードと高確率モードとを設け、また、所定時に、高確率モード抽選手段により数値の抽選を行い、この抽選結果である数値を、高確率モード用カウンタに加算し、また、高確率モードの遊技が行われる毎に、高確率モード用カウンタの数値を所定数減算するようにしてもよい。このようにしても、高確率モード用カウンタの数値に基づいて、通常モードへ移行したり、高確率モードへ移行したりするので、遊技が単調にならず、遊技者の興趣が高まる。
【０１９４】
また、上記実施の形態では、回転リール40の停止制御は、「テーブル制御」としたが、回転リール40の停止制御は、「テーブル制御」に限定されるものではなく、例えば、「プログラム制御」などと呼ばれる制御としてもよい。
プログラム制御では、まず、役抽選手段104の抽選結果に対応したフラグが設定される。次に、この設定されたフラグと、各ストップスイッチ60が操作されたときの対応する回転リール40の回転位置とに基づいて、ストップスイッチ60の操作後における最初の適正停止位置で回転を停止させるか、ストップスイッチ60の操作後における最初の適正停止位置を通過させ、その次の適正停止位置で回転を停止させるか、ストップスイッチ60の操作後における最初の適正停止位置から２番目の適正停止位置までを通過させ、３番目の適正停止位置で回転を停止させるか、ストップスイッチ60の操作後における最初の適正停止位置から３番目の適正停止位置までを通過させ、４番目の適正停止位置で回転を停止させるか、あるいはストップスイッチ60の操作後における最初の適正停止位置から４番目の適正停止位置までを通過させ、５番目の適正停止位置で回転を停止させるかの判断が行われる。そして、最初の適正停止位置で停止させると判断されれば、最初の適正停止位置で回転リール40の回転が停止する。また、２番目の適正停止位置で停止させると判断されれば、最初の適正停止位置を通過し、２番目の適正停止位置で回転リール40の回転が停止する。また、３番目の適正停止位置で停止させると判断されれば、最初の適正停止位置と２番目の適正停止位置とを通過し、３番目の適正停止位置で回転リール40の回転が停止する。また、４番目の適正停止位置で停止させると判断されれば、最初の適正停止位置と２番目の適正停止位置と３番目の適正停止位置とを通過し、４番目の適正停止位置で回転リール40の回転が停止する。また、５番目の適正停止位置で停止させると判断されれば、最初の適正停止位置と２番目の適正停止位置と３番目の適正停止位置と４番目の適正停止位置とを通過し、５番目の適正停止位置で回転リール40の回転が停止する。
【０１９５】
また、本実施の形態では、各遊技が行われる毎に各抽選手段による数値の抽選を行うものとしたが、例えば、遊技が行われる毎に１／１０など所定の確率で抽選を行い、当選したときに数値の抽選を行うこととすることができる。この場合、各抽選手段が数値の抽選を行う「所定時」は、毎ゲーム行われる１／１０の確率の抽選に当選したとき、となる。その場合、数値の抽選は、必ず１以上になるようにすることが望ましい。
【図面の簡単な説明】
【０１９６】
【図１】本発明の実施の形態に係るスロットマシンのブロック図。
【図２】本発明の実施の形態に係るスロットマシンの外観正面図。
【図３】本発明の実施の形態における図柄表示窓、出目及び入賞ラインを示す概念図。
【図４】本発明の実施の形態における各回転リールの図柄配列を示す概念図。
【図５】本発明の実施の形態における停止テーブルの概念図。
【図６】本発明の実施の形態における放出抽選テーブルの概念図。
【図７】本発明の実施の形態における第１高確率モード抽選テーブルの概念図。
【図８】本発明の実施の形態における第２高確率モード抽選テーブルの概念図。
【図９】本発明の実施の形態における高期待モード抽選テーブル（第１高確率モード又は第２高確率モードのとき用）の概念図。
【図１０】本発明の実施の形態における高期待モード抽選テーブル（第１高確率モードでも第２高確率モードでもなく、かつ、好機状態のとき用）の概念図。
【図１１】本発明の実施の形態における高期待モード抽選テーブル（第１高確率モードでも第２高確率モードでもなく、かつ、通常状態のとき用）の概念図。
【図１２】本発明の実施の形態における移行待ちモード抽選テーブルの概念図。
【図１３】本発明の実施の形態における好機状態抽選テーブルの概念図。
【図１４】本発明の実施の形態に係るスロットマシンの動作の概略を示すフローチャート。
【図１５】本発明の実施の形態に係るスロットマシンの動作の概略を示すフローチャート。
【図１６】本発明の実施の形態に係るスロットマシンの動作の概略を示すフローチャート。
【図１７】本発明の実施の形態に係るスロットマシンの動作の概略を示すフローチャート。
【図１８】本発明の実施の形態に係るスロットマシンの動作の概略を示すフローチャート。
【図１９】本発明の実施の形態に係るスロットマシンの動作の概略を示すフローチャート。
【図２０】本発明の実施の形態に係るスロットマシンの動作の概略を示すフローチャート。
【符号の説明】
【０１９７】
10  スロットマシン                 30  リールユニット
40  回転リール                     41  左リール
42  中リール                       43  右リール
50  スタートスイッチ               60  ストップスイッチ
70  筐体                           71  前扉
72  図柄表示窓                     73  投入スイッチ
74  ベットスイッチ                 75  精算スイッチ
76  ホッパーユニット               77  演出用ランプ
78  スピーカ                       79  液晶ディスプレイ
80  払出口                         90  受け皿
100  制御装置                      101  一般遊技制御手段
102  レギュラーボーナス制御手段    103  ビッグボーナス制御手段
104  役抽選手段                    105  停止テーブル
106  停止制御手段                  107  入賞判定手段
108  ビッグボーナスカウンタ        109  レギュラーボーナスカウンタ
110  放出抽選手段                  111  第１高確率モード抽選手段
112  第２高確率モード抽選手段      113  高期待モード抽選手段
114  移行待ちモード抽選手段        115  第１高確率モード用カウンタ
116  第２高確率モード用カウンタ    117  高期待モード用カウンタ
118  移行待ちモード用カウンタ      119  高確率モード制御手段
120  好機状態抽選手段              121  好機状態用カウンタ
122  好機状態制御手段              123  ゲタ数抽選手段
124  ゲタ数カウンタ                125  報知手段
126  カウンタメモリ持越手段
201  左リール上図柄                202  左リール中図柄
203  左リール下図柄                204  中リール上図柄
205  中リール中図柄                206  中リール下図柄
207  右リール上図柄                208  右リール中図柄
209  右リール下図柄
300  入賞ライン                    301  第１入賞ライン
302  第２入賞ライン                303  第３入賞ライン
304  第４入賞ライン                305  第５入賞ライン
【図１】
2005312791.tif 000003
【図２】
2005312791.tif 000004
【図３】
2005312791.tif 000005
【図４】
2005312791.tif 000006
【図５】
2005312791.tif 000007
【図６】
2005312791.tif 000008
【図７】
2005312791.tif 000009
【図８】
2005312791.tif 000010
【図９】
2005312791.tif 000011
【図１０】
2005312791.tif 000012
【図１１】
2005312791.tif 000013
【図１２】
2005312791.tif 000014
【図１３】
2005312791.tif 000015
【図１４】
2005312791.tif 000016
【図１５】
2005312791.tif 000017
【図１６】
2005312791.tif 000018
【図１７】
2005312791.tif 000019
【図１８】
2005312791.tif 000020
【図１９】
2005312791.tif 000021
【図２０】
2005312791.tif 000022